(57)【要約】【課題】  鉗子／ピンセットを提供する。【解決手段】  本発明は下部の手根管上の領域のある領域以外の手の種々の領域を満たす形状および構造を与えるハンドルの設計方法および装置を提供する。特に、この装置は作用端部を有する鉗子／ピンセットのような一般的にＹ状構造を含む。ハンドルは橈骨部、尺骨部、および中間部を含む。ハンドルは、手の一部と係合するための尺骨端部および橈骨端部と共に、橈骨アーム、尺骨アーム、および末端脚部を有することができる。
2006519029.tif 000002
【特許請求の範囲】
【請求項１】
手で使用するための鉗子型器具において、
前記手の掌表面の橈骨側の一部と係合するための橈骨ヒンジ部で合致する１対の橈骨アームを含む橈骨部と；
各々が接続領域部から前記対の橈骨アームの対応する一方から伸び、前記手の親指と前記手の人差指をそれぞれ受け入れるための１対の対向ブレードと；
手根管上に配置される前記手の表面と係合することなく、前記手の薬指と前記手の小指をそれぞれ受け入れるための中間部であり、前記接続領域部に隣接する中間部と；
前記中間部に隣接する尺骨部であり、前記手の掌表面の尺骨側の一部と係合するための尺骨ヒンジ部で合致する１対の尺骨アームを含む尺骨部と；
を具備し、前記橈骨部と前記尺骨部は、前記手根管上に位置決めされた前記手の表面と係合することなく、手の中の前記鉗子型器具を位置決めするように前記手の前記掌表面の各部と係合することを特徴とする鉗子型器具。
【発明の詳細な説明】
【技術分野】
【０００１】
本発明は鉗子／ピンセット用のハンドル、およびこのようなハンドルを設計するための方法および装置に関する。望ましくは、鉗子／ ピンセットは使用時に手に快適にフィットするように設計された一般的に非対称な“Ｙ”状ハンドルを有する。本発明は一端で合致し又は接続する２つの鏡像（ミラーイメージ）ブレードを望ましく含む鉗子／ピンセットハンドルを提供する。本発明の鉗子／ピンセットはつまみ、握り、保持し、切断し、および他の機能において手を支援するハンドルとして使用できる。本発明の鉗子／ピンセットは外科鉗子、種々の外科器具、ピンセット、および種々の道具および器具用に使用できる。
【背景技術】
【０００２】
鉗子およびピンセットは作用端部又は先端と人差指の基部と親指間の肉質空間に載る部分を有するペン状で製作される一般的なツールである。典型的には、鉗子およびピンセットは鉛筆のように保持され、親指、人差指、および中指が作用端部に近くで鉗子又はピンセットを保持する。ここでおよび人体の解剖に使用されるように、解剖学用語近接はより近く、末端は胴体に対して外肢に更に離間していることである。同様に、手に関して、典型的には親指の基部と人差指間の手の部分に載る鉗子又はピンセットの部分は近接端部であり、鉗子又はピンセットの先端は末端端部と称される。
【０００３】
鉗子又はピンセットは対向するブレード部又は部材と、手により種々の物体の一部をある範囲の握り強度で拾い上げ且つ保持するのを可能にする細先端部を有する。親指と長い指の対向作用はブレード部を操作し、鉗子又はピンセットの先端を共に動かす。対向、即ち、親指の先端と長い指の先端を互いにより近くに動かすことは親指の対立筋と長い指の虫様筋を収縮させることにより実行される。虫様筋は手の掌に配置された小さい筋肉であり、これらの収縮は長い指の基部で近接指節間（ＰＩＰ）骨を引っ張る。手の対立筋は親指の基部を引っ張る。鉗子又はピンセットを使用する場合、繊細なつまみ機能は対立筋と虫様筋で制御される。しかしながら、全つまみの機能は親指の末端部を引っ張る前腕の対立筋に制御され、前腕の深部屈筋は人差指の末端部と中指の末端部を引っ張る。
【０００４】
典型的には、鉗子又はピンセットのブレード部はブレード部と親指と人差指間の手の部分の直下で交差する中指から静止した手の支持を受ける。しかしながら、鉗子又はピンセットの末端の先端が共に動く場合、手中の鉗子又はピンセットのための支持は変化し、より大きな支持が鉗子又はピンセットを保持するため親指と人差指の先端で発生する。これが筋肉と関節の痛みを生ずる。
【０００５】
普通の鉗子又はピンセットを使用する場合、手に痛みを生じる要因のいくつかはブレード部の幅、ブレード部のバネ力、鉗子又はピンセットで握り又はつまむ場合手と手首の関節が機能する方法、対応する筋肉を収縮するために使用される筋肉の筋肉繊維束の数、および鉗子又はピンセット上の指の位置を含む。典型的には、鉗子又はピンセットのより広いブレード部は狭いブレード部より保持しやすく、一般的につまむためのより少ない筋肉緊張で足りる。典型的な鉗子又はピンセットおよびブレード部の接続に使用される材料のバネ状特性は鉗子又はピンセットを閉じるために要求される筋肉力に影響を与える。
【０００６】
多くの関節は屈曲し、伸張し、横方向の動きで小さい角度を有し、他の関節は１方向以上の方向で動ける。親指のような後者の関節において、関節の周辺より関節の中央でより大きな表面接触領域がある。親指が長い指の先端と対向する場合、親指の基部での骨は関節の各側部にあり、骨の関節接触領域は親指が長い指に対向する場合により少ない。従って、普通の鉗子又はピンセットは親指がより少ない骨接触表面積がある親指関節の橈骨側に動くのを強制する。
【０００７】
筋肉は筋肉繊維束と呼ばれるサブグループから成る。これらの繊維束は筋肉繊維のグループから成る。筋肉繊維の収縮量は鉗子又はピンセットの先端間の物体を保持するために使用される強度又はつまみ力を決定する。親指の橈骨側が普通の鉗子又はピンセットを保持するために使用される場合、親指は人差指に対向し、対立筋の橈骨側は親指を引っ張るように収縮する。普通の鉗子又はピンセットにおいて、より少ない筋肉繊維束はおよび繊維組織は親指が長い指の先端の中心に対向する場合より親指が人差指に対向する場合のつまみ強度のために典型的に使用される。もしより少ない繊維束が、潜在的に得られるより、つまむために使用されると、これらの筋肉とこれらの繊維束に疲労と痛みのより大きな変化がある。従って、より多くの筋肉繊維束を利用するとつまみ力を好ましく増大させ、筋肉の疲労とストレスを減少させる。鉗子又はピンセットをつまむために使用される筋肉繊維束の数を増加させる鉗子又はピンセットは望ましい。
【０００８】
更に、つまみ力はつまみ動作で使用される筋肉の数により影響される。親指と人差指がつまむと、１本の虫様筋が人差指を親指に対してつまむために使用される。しかしながら、一方が人差指のためであり他方が中指のためである２つの虫様筋は親指が人差指と中指間の空間と対向する場合つまみのために使用される。つまみ力は親指が人差指のみに対向する場合より人差指と中指に対向する場合により大きくなる。この潜在的握力は、親指が人差指の先端に対向する場合より人差指先端と中指先端間の空間に対向する場合より大きな対立筋繊維束が得られるので、より大きい。このように、人差指と中指間の空間に対して親指を対向させることでより大きな効率を有し、筋肉疲労を減じられる。
【０００９】
更に、普通の鉗子又はピンセットを使用中に手の損傷が生じる。これは親指と人差指が鉗子又はピンセットの過大な圧縮の潜在力を有するペン型ツールを保持する場合普通の鉗子又はピンセットの先に向かって進む自然の傾向があるためである。これにより、人差指の末端指節間関節（ＤＩＰ）が伸びている間にＤＩＰ関節の過度な親指の屈曲および人差指の中間指節間（ＭＩＰ）関節での過度な人差指の屈曲を発生させる。このような過度な曲がりで、指の先端は隣接的に圧縮し且つ退行し、帰還又は追加圧力、即ち、物が手で支えられている“感触”を与える。このぎこちない位置を維持していると、特に、予め存在する損傷を受けている場合、指、手首、および靭帯に損傷を与える。過度な屈曲のこのようなぎこちないが普通である位置は人差指の中間指骨および親指の末端指骨を収縮させる前腕の筋肉および腱に起因する。これは典型的には皮下屈筋前腕筋肉の腱が手根横靭帯（ＴＣＬ）と正中神経に直接圧力を伝達する手根管（ＣＴ）内に緊張および圧力を加える前腕筋肉から相当な力を要求する。このような扱いにくい位置に起因する収縮した皮下屈筋前腕筋肉の腱からのＣＴでの損傷および圧力は正中神経過敏および手根管症候（ＣＴＳ）になる。更に、手および前腕での筋肉の損傷は関係する筋肉の反復緊張症状になる。
【発明の開示】
【発明が解決しようとする課題】
【００１０】
普通の鉗子およびピンセットによりもたらされる典型的な問題は頻繁に使用すると手、手首、および前腕に痛みを生じ、ＣＴＳになることである。この問題は鉗子又はピンセットが小物をつまむためペン型ツールを一般的に適合させるので解決されなかった。このようなペン型ツールは、この問題を起こす、上述のように、手で過大な指の曲がりを補償するので、手を不愉快な位置に強制する。
【００１１】
効率の良さは手の部品が仕事を実施するため協調して作用する場合に達する。本発明の鉗子又はピンセット用のハンドル設計の目標および本発明の方法と装置の目的はこのような効率を増大させることである。効率的なハンドル設計では手を快適な位置に維持することである。ハンドル又は握りの設計の更なる目標および本発明の更なる目標は手と前腕筋肉の機能を促進することであり、それにより筋肉が呼応して作用する。ハンドル設計の他の目標および本発明の方法および装置の更なる目標は靭帯の損傷を減少させるため手および手首の関節機能を促進することである。
【００１２】
更に、鉗子又はピンセット用のハンドル設計の他の目的、および本発明の方法および装置の目標は物体を保持するため典型的に要求される減少したつまみ強度を促進することである。少ないつまみ強度が物を保持するために要求される場合、関節および周囲の靭帯に対する損傷が少ない。
【００１３】
従って、要求されることは、上述の目標を満足させる、鉗子又はピンセット用のハンドルおよび鉗子又はピンセット用のハンドルを設計するための方法および装置である。鉗子又はピンセット用のこのようなハンドルは繰り返しによる緊張障害および関節損傷の発生を減少させる。
【００１４】
外科用鉗子およびピンセットのような鉗子およびピンセットは一般的に３つの共通型になる。第１の型は一端でヒンジ止めされた２つの並列ブレード部材と、他端の先端部を有する。ブレード部材は互いに向かって動き、先端はつかみ且つ保持するために合わさる。鉗子およびピンセットの第１の型のブレード部材ははさみのように合致し、交差し、かつ伸びる。鉗子およびピンセットの第２の型のブレード部材は、横並びの代わりに、一方を他方の上部に向けられる。第２の型において、ハンドルはブレード部材の方向と直角に伸び、典型的にはハンドルは指と係合させるためのリングを有する。第２の型のブレード部材はヒンジでハンドルに合致する。リング部材を動かすと枢着部材を動かし、細胞組織をつかみ又は切断するために開閉する。第３の型の鉗子又はピンセットは器具の顎部を開閉する機構を駆動するためレバー又はスライドを使用する。
【００１５】
第１の型の鉗子又はピンセットの横並びブレード部の例は、フルーツもぎ取り機である、米国特許第２８８，０９６号、第９８７，０９５号、および第２，５４０，２５５号のブレード部を含む。米国特許第５，８９３，８７７号はマイクロ外科用カップ鉗子である鉗子又はピンセットを示す。米国特許第５，００２，５６１号は保護ハンド鉗子を示し、米国特許第５，１７６，６９６号はマイクロ外科器具用のハンドルに関する。米国特許第５，１７６，６９６号のハンドルは親指を人差指と中指に対向させる。
【００１６】
リング又は第２の型の鉗子又はピンセットの例は以下の米国特許に示されるものを含む。即ち、米国特許第４，０４３，３４３号は鉗子を示す。米国特許第４，６７４，５０１号は外科用器具を示す。米国特許第５，１６０，３４３号は外科用器具ハンドルと鉗子アセンブリを示す。米国特許第５，２１１，６５５号は内視鏡用の多目的鉗子を示す。米国特許第５，２３４，４６０号は腹腔鏡検査器具を示す。米国特許第５，３１８，５８９号は内視鏡外科用の外科用器具を示す。
【００１７】
レバー又は第３の型の鉗子又はピンセットの例は以下の米国特許に示されるものを含む。即ち、米国特許第４，６４４，６５１号はつかみ又は切断するための器具を示す。米国特許第５，４７０，３２８号はレバーを押下げる外科用器具ハンドルおよびアクチュエータ手段を示す。レバー又は第３の型の鉗子又はピンセットの他の例は次の米国特許に示されるものを含む。即ち、米国特許第５，１４７，３８０号はロッキング手段を含む生体検査用鉗子を示す。米国特許第５，１８４，６２５号は改良されたハンドルを有し、その両者が滑動ロッキング装置を有する生体検査用鉗子装置を示す。レバーと第３の型の鉗子またはピンセットの他の例はつかみ部を持つ末端端部を有するシャフトを広げるレバーを有する外科用マニピュレータとして米国特許第５，９７６，１２１号に示される。
【００１８】
必要とするものは、より大きな効率で、改良された安定性で、および関節部および筋肉の減少した障害および張りで、手でつまむのを可能にする鉗子とピンセットである。普通の鉗子またはピンセットの上記例の多くの問題はこれらの設計および動作が、親指を人差指に対向させるかわりに、親指を人差指と中指に対向させることで得られるより大きなつまみ強度を利用しないことである。さらに、普通の鉗子およびピンセット用の上記ハンドルの型はハンドルを支持するため手の掌を効率的に利用していない。さらに、普通の鉗子とピンセット用のハンドルは鉗子とピンセットのハンドルを保持し安定にするため薬指と小指を効率的に利用していない。
【課題を解決するための手段】
【００１９】
本発明は鉗子／ピンセット用のハンドルおよびこれらのハンドルを設計するための装置および方法を提供する。
【００２０】
また、本発明の鉗子／ピンセット用のハンドルを設計するための装置および方法において、設計方法および装置は機能はさみ位置又は鉗子ハンド位置（ＦＨＰ）の手についての測定値に基く実施例および方法を含む。
【００２１】
本発明の鉗子／ピンセット用のハンドルを設計する方法および装置およびこれらのハンドルを設計する方法および装置はつまむ手の機能解剖学から導出された規定解剖位置に提供され且つ基いている。方法は親指が親指と人差指間の空間に対向する場合手の中で得られる測定値に対するラインを使用する。この方法で製造される鉗子およびピンセットのような装置は手を効率的に使用する。
【００２２】
本発明の鉗子／ピンセット用のハンドルおよびハンドルを設計する方法および装置の利点はハンドルがＴＣＬ上の皮膚と接触しないことである。したがって、ＴＣＬは圧縮されず、このような設計のハンドルをつまみ中又は使用中に圧力がＣＴ領域の中身に伝達されない。
【００２３】
本発明の鉗子／ピンセット用のハンドルおよびハンドルを設計する方法および装置の他の利点は指と掌の自然な円弧が維持されることである。したがって、自然な手の解剖学的構造に適合して、この設計のハンドルはより快適に保持できる。
【００２４】
本発明の鉗子／ピンセット用のハンドルおよびハンドルを設計する方法および装置の他の利点は手のより大きい部分がハンドルと接触することである。つまみ動作のためのこの設計のハンドルと接触するより大きな手の領域が追加される。
【００２５】
他の利点は本発明の鉗子／ピンセット用のハンドルおよびハンドルを設計する方法および装置を使用することにより、手の中の筋肉に対して与えられる動脈を危うくせず又は変形させないことである。これは橈骨動脈が横断するＴＣＬと下層ＣＴに又は尺骨動脈が手の構造を供給するため深く進む豆状骨のＧｕｙｏｎの管にハンドルが接触しないためである。
【００２６】
本発明の鉗子／ピンセット用のハンドル、およびハンドルを設計する方法および装置の他の利点は手に進む神経を危うくせず、圧縮せず、又は変形させないことである。
【００２７】
本発明の鉗子／ピンセット用のハンドル、およびハンドルを設計する方法および装置を使用する他の利点はＣＴの中物の損傷およびＣＴ内の圧力が少ないことである。
【００２８】
本発明の鉗子／ピンセット用のハンドル、およびハンドルを設計する方法および装置の他の利点はＴＣＬにより近い皮下屈筋腱による正中神経およびＣＴ内の正中神経の圧迫、歪み、または炎症が少ないことである。
【００２９】
最高の利点は、上述の利点に基く本発明の、鉗子／ピンセット用のハンドル、およびハンドルを設計する方法および装置が腱、包、関節、手の筋肉、および正中神経に対する急性および慢性炎症、外傷、および損傷を減ずることである。したがって、この設計の鉗子又はピンセットを使用する人のＣＴＳの発生および繰り返し損傷症状の減少が期待される。
【００３０】
本発明の目的は手の支持領域とより大きい接触部を有する本発明の鉗子／ピンセット用のハンドルのための設計方法および装置を提供することである。
【００３１】
本発明の目的は親指と長い指に対する屈筋手筋肉の使用を最適化するため本発明の鉗子／ピンセット用のハンドルのための設計方法および装置およびハンドルを設計する方法および装置を提供することである。
【００３２】
本発明の他の目的は普通の鉗子／ピンセットに比べて減少した握力を利用する本発明の鉗子／ピンセット用のハンドルのための設計方法および装置およびハンドルを設計する方法および装置を提供することである。
【００３３】
本発明の更に他の目的は種々の用途のため種々のサイズおよび形状の本発明の鉗子／ピンセット用のハンドル、およびハンドルを設計する方法および装置を提供することである。
【００３４】
本発明の他の目的は鉗子／ピンセット用のハンドルのための設計方法、および本発明の上記および他の目的を達成するため種々の手のサイズに関する本発明のハンドルを設計する方法および装置を提供することである。
【００３５】
本発明の更なる態様に従って、鉗子／ピンセット用のハンドルの末端端部および本発明のハンドルを設計する方法および装置は鉗子／ピンセット上の指の位置決めの基準として作用する上昇表面又は種々の表面を含む。
【００３６】
本発明の他の態様に従って、鉗子／ピンセット用のハンドルおよび本発明のハンドルを設計する方法および装置は好ましくは一般的に非対称な“Ｙ”形状である“Ｙ”形状を一般的に好ましく有するハンドルを含む。このような鉗子／ピンセット用のハンドルの“Ｙ”形状は単一の“Ｙ”状部としてまたは各近接端部で結合された２つの“Ｙ”状部として２つの上部アーム部と脚部を持つ３つの端部を有する。本発明のこのような態様の鉗子／ピンセット用のハンドルは鉗子／ピンセットの開閉つまみ機能を実行するため末端端部で結合され又は合致する２つの“Ｙ”状部を一般的に有する状態で、鉗子／ピンセット用のハンドルは器具のような動力化された制御機能のような種々の機構と器具のために適用でき、または例えば、ショベル、鍬、又はつるはしのために使用できる単一の“Ｙ”部から成る。各“Ｙ”部の最上アーム又は末端アームは手の掌の橈骨側と尺骨側の領域に合致し且つ接触する。“Ｙ”部の各脚部又は末端端部は“Ｙ”部の橈骨近接アームと尺骨近接アームの対応する接続部から親指、人差指、および中指の先端近くの端部に伸びる。各“Ｙ”部の下部脚部又は末端端部は手の親指、人差指および中指の末端部と接触する。２つの“Ｙ”状部を有する実施例において、“Ｙ”部の近接端部は接続され、各“Ｙ”部の末端端部は一方の“Ｙ”部上の親指と他方の“Ｙ”部の人差指および中指の対向する動きにより他方に向って動く。種々の手段によりハンドルの末端部材に取り付けられた種々の先端が種々の物を握り、かじり、又は切断するために使用される。本発明は鉗 子／ピンセット用のハンドルおよび各近接アームおよび末端脚部の寸法を調整することにより複数の手のサイズで製作される本発明のハンドルを設計する方法および装置を提供する。
【００３７】
本発明の他の態様に従うと、鉗子／ピンセット用のハンドルおよび本発明のハンドルを設計する方法および装置は普通の鉗子／ピンセットでのように人差指のみと対向する親指と異なり人差指と中指に対向する親指を好ましくは提供する。
【００３８】
本発明の更なる態様に従うと、鉗子／ピンセット用のハンドルおよび本発明のハンドルを設計する方法および装置は、鉗子／ピンセット用のハンドルが中指と親指の基部と人差指間の手の部分上に載るのでなく、手中の領域で支持されるので、より大きな安定を好ましく提供する。
【００３９】
本発明の他の態様に従うと、鉗子／ピンセット用のハンドルおよび本発明のハンドルを設計する方法および装置は薬指と小指をＴ位置に維持することを好ましく提供する。
【００４０】
更に、鉗子／ピンセット用のハンドルおよび本発明のハンドルを設計する方法および装置は親指、人差指、および中指の関節の位置を好ましく最適化するので、ＭＩＰ関節およびＤＩＰ関節は過度に屈曲しない。従って、本発明の鉗子／ピンセット用のハンドルは、つまむために使用される場合、前腕筋肉および手の筋肉の要求を減少させる。
【００４１】
本発明の更なる態様によれば、鉗子／ピンセット用のハンドルおよび本発明のハンドルを設計する方法および装置はＣＴ区画での関節、筋肉、腱、および正中神経に対する損傷を減少又は防止できる。
【００４２】
本発明の更なる態様によれば、鉗子／ピンセット用のハンドルおよび本発明のハンドルを設計する方法および装置は、手の最初の３つの指をでなく、つまみのための手のすべての指を利用できる強力なつまみ力を提供する。親指のみが人差指に対向する場合に比べ、親指が手首の骨と合う場合、ストレスが親指の中手腕骨関節で減少する。親指が長い指の中間の空間と対向する場合、この位置は人差指、中指、薬指、小指、および小指の４つの中手指節関節間のストレスを導く。人差指、中指、薬指、および小指のＭＰ関節間のストレスを方向付けることがつまむためのより多くの筋肉を確保する。
【００４３】
本発明の目的はつまみ力を増大させるため適切な筋肉を利用するハンドル設計を好ましく提供することである。
【００４４】
本発明の他の目的は微妙なつまみ力のための適切な筋肉を利用するハンドル設計を好ましく提供することである。
【００４５】
本発明の更なる目的は手の中のハンドルを安定にするハンドル設計を好ましく提供することである。
【００４６】
本発明の更なる目的は人差指と中指間の空間に対向するように親指を位置決めするハンドル設計を好ましく提供することである。
【００４７】
更に本発明の他の目的は薬指と小指の先端がほぼ整合されるＴ位置に手を維持するハンドル設計を好ましく提供することである。
【００４８】
同様に、本発明の目的は筋肉と関節の張りを減らすハンドル設計を好ましくは提供することである。
【００４９】
本発明の他の目的は手の対向する親指、人差指、および中指のＰＩＰ関節での屈曲を制限するハンドル設計を好ましく提供することである。
【００５０】
本発明の更なる目的は手の橈骨側の水平皺と接触するハンドル設計を好ましく提供することである。
【００５１】
本発明の更なる目的は手の尺骨側の水平皺と手の尺骨側の豆状骨間の小指球筋肉領域と接触するハンドル設計を好ましく提供することである。
【００５２】
本発明の目的は薬指と小指をハンドルの尺骨部材の周りに包ませることにより手の中でハンドルを位置決めするハンドル設計を好ましく提供することである。
【００５３】
本発明の他の目的は手が鉗子ハンド位置（ＦＨＰ）にある場合手の掌の橈骨側および尺骨側に向けて本発明のハンドルを引っ張るため屈曲した薬指と小指を使用するハンドル設計を好ましく提供することにある。
【００５４】
本発明の目的は薬指と小指に手の橈骨側と尺骨側に対して鉗子／ピンセットハンドルの近接部を方向付させる（押し引きさせる）ハンドル設計を好ましく提供することである。
【００５５】
更に、本発明の目的はハンドルが手の中で滑るのを防止するハンドル設計を好ましく提供することである。
【００５６】
更に、本発明の目的は手の中にある装置の状態で使用されるハンドルを安定にするハンドル設計を好ましく提供することである。
【００５７】
更に、本発明の目的は手が鉗子ハンド位置（ＦＨＰ）にある場合に尺骨部の形状を薬指と中指の機能位置に関係させるハンドル設計を提供することである。
【００５８】
本発明の目的は手が鉗子ハンド位置（ＦＨＰ）にある場合にハンドルの末端脚部の近接位置と接触するようにハンドルを持ち上げるため屈曲された薬指を使用するハンドル設計を好ましく提供することである。
【発明を実施するための最良の形態】
【００５９】
本発明の要旨を更に明確に且つ簡潔に説明するため、Ｔ位置のための以下の定義は以下の明細書に使用される特定用語の意味に関するガイダンスを提供する事を意図している。さらに、ここで使用された専門用語集は説明目的であることを理解すべきであり、限定された意味で解釈すべきでない。以下の解説は図１を参照して本発明に関連する手の領域に関する。
【００６０】
Ｔ位置
図１はＴ位置に対する手１００を示す。Ｔ位置は長い指２００の先端２００ａが整合し、親指２０１の先端２０１ａが人差指２０２と中指２０３間の空間３２０と対向する場合手１００が占める位置である。この位置において、手掌アーチ１０４として知られる手１００の掌１０２と交差する領域は凹状である。破線として示される、指カップ１０６は長い指２００の先端２００ａが整合され、長い指２００が屈曲される場合に長い指２００により作られる凹領域である。掌１０２の水平皺１０８は皮膚の皺として表れ、手掌アーチ１０４と整合する。手１００の橈骨側１１０で、水平皺１０８は親指２０１により隠される。縦皺１１２は手１００がＴ位置にある場合手１００の掌１０２が平坦でないので皮膚皺として表れる。長い指２００のＭＩＰ関節２５０は互いに近傍にある。中指２０３のＭＩＰ関節２５０は、他の長い指２００の他のＭＩＰ関節より、ライン３００から最も遠い。小指２０５のＭＩＰ関節２５０は他の長い指２００のＭＩＰ関節２５０よりライン３００により近い。
【００６１】
図１を参照すると、小指球筋肉領域１１６は豆状骨１２６の高さで手１００の尺骨側１１１の水平皺１０８から手首１２０に伸びている。手首１２０の豆状骨１２６は尺骨神経と尺骨動脈が小指球筋肉領域１１６下で掌１０２に入る手１００の尺骨側１１１の領域にある。手根横靭帯（ＴＣＬ）１２２は手根管（ＣＴ）１２４を覆っている。母指球筋肉領域１１４は手１００の橈骨側１１０で、且つＣＴ１２４に対する橈骨である。小指球筋肉領域１１４は手１００の尺骨側１１１で、且つＣＴ１２４に対する尺骨である。ＣＴ１２４は正中神経、前腕の皮下屈筋筋肉からの４つの腱、および前腕の深部屈筋筋肉からの４つの腱を含む。皮相腱は深部の腱よりＴＣＬ１２２の内面により近い。これが正中神経の近くに皮相神経を配置している。
【００６２】
鉗子ハンド位置（ＦＨＰ）
Ｔ位置に対して変形がある。図２Ａおよび図２Ｂは鉗子ハンド位置（ＦＨＰ）での手１００の位置に対するＴ位置の適合を示す。図２Ａおよび図２Ｂに示されるように、親指２０１、人差指２０２、および中指２０３はＴ位置から部分的に伸びている。一方、薬指２０４および小指２０５はＴ位置にとどまる。鉗子ハンド位置において、親指２０１の先端２０１ａは、Ｔ位置でのように、人差指２０２の先端２００ａと中指２０３の先端２００ａ間の空間３２０に対向する。手１００のＴ位置に関連する同一ライン３４０で薬指２０４の先端２００ａおよび小指２０５の先端２００ａにも留意。図２Ｂは鉗子ハンド位置（ＦＨＰ）にある手１００の橈骨側１１０の図を示す。手１００が、破線３０５で示されるように、鉗子ハンド位置（ＦＨＰ）にあると、親指２０１の先端２０１ａは人差指２０２の先端２００ａおよび中指２０３の先端２００ａとほぼ整合状態にある。
【００６３】
図２Ａを参照すると、図１に示されるように、水平皺１０８は手１００の掌１０２と交差し、水平皺１０８が手１００の橈骨側１１０に達するまで、親指２０１の基部により隠される。水平皺１０８の橈骨端部の位置は図２Ｂの手１００の橈骨側１１０に見られる。図１は手１００の尺骨側１１１の水平皺１０８の位置を示す。
【００６４】
図２Ａおよび図２Ｂを参照すると、図２Ｂに示されるように、Ｃ面は本発明のハンドルの中心線に対する手の関係を示す。Ｃ面は手１００が鉗子ハンド位置（ＦＨＰ）にある場合手１００の橈骨側１１０を介して手１００の尺骨側１１１に通過する。手１００の橈骨側１１０で、Ｃ面は親指２０１、人差指２０２および中指２０３間に作られた空間をニ分するため水平皺１０８を介して伸びる。手１００の尺骨側１１１で、Ｃ面は水平皺１０８と手首１２０の豆状骨１２６間のほぼ途中まで領域Ｍを貫通する。Ｃ面は、薬指２０４と小指２０５がＴ位置にある場合、薬指２０４と小指２０５のＤＩＰ関節２５２を連続的に貫通する。
【００６５】
図３Ａおよび図３Ｂを参照して例証のため、本発明のハンドルの略図が概略図４００Ｙと概略図４００Ｙ’として示される。概略図４００Ｙおよび４００Ｙ’により図３Ａおよび図３Ｂに示されるように、鉗子／ピンセットとして使用するための本発明のハンドルは一般的に“Ｙ”状の構成または好ましくは一般的に非対称の“Ｙ”状または“パチンコ”状の構成である。概略図４００Ｙおよび４００Ｙ’により示されるような本発明のハンドルは２つの（上部）アームと１つの（下部）脚部を持つように考慮される。この点で、本発明のハンドルは本発明のハンドルに相当する概略図４００Ｙおよび４００Ｙ’の近接部と考慮される２つのアームＹ１、Ｙ１’およびＹ２、Ｙ２’を有する。Ｙ１、Ｙ１’およびＹ２、Ｙ２’により示される２つのアームは手１００の掌１０２に伸びる。脚部Ｙ３、Ｙ３’は本発明のハンドルの末端脚部に対応する。
【００６６】
概略図４００Ｙおよび４００Ｙ’の一方のアームＹ１、Ｙ１’は手１００の掌１０２の橈骨側１１０と接触するハンドルのアームに対応し、概略図４００Ｙ、４００Ｙ’の橈骨アームＹ１、Ｙ１’と呼ばれる。概略図４００Ｙおよび４００Ｙ’の第２アームＹ２、Ｙ２’は手１００の掌１０２の尺骨側１１１と接触するハンドルのアームに対応し、概略図４００Ｙ、４００Ｙ’の尺骨アームＹ２、Ｙ２’と呼ばれる。概略図４００Ｙおよび４００Ｙ’の脚部Ｙ３、Ｙ３’は手１００が鉗子ハンド位置（ＦＨＰ）にある場合に親指２０１、人差指２０２および中指２０３と会うように伸びる手１００の末端脚部に対応する。
【００６７】
本発明のハンドルの概略図４００Ｙのおいて、橈骨アームＹ１、尺骨アームＹ２、および末端脚部Ｙ３は共通点Ｙ４で会合する。代案として、本発明のハンドルの概略図４００Ｙ’に示されるように、橈骨アームＹ１’は末端脚部Ｙ３’に沿った他の点Ｙ４’で末端脚部Ｙ３’と会合する。しかしながら、概略図４００Ｙで示されるように、橈骨アームＹ１、尺骨アームＹ２、および末端脚部Ｙ３が共通点Ｙ４で会合することが一般的により好ましい。
【００６８】
概略図４００Ｙおよび４００Ｙ’の尺骨アームＹ２、Ｙ２’は尺骨Ｙ２、Ｙ２’の指区画２１、Ｙ２１’および尺骨Ｙ２、Ｙ２’の手掌区画Ｙ２２、Ｙ２２’と呼ばれる２つの区画を有する。尺骨アームＹ２、Ｙ２’の指区画Ｙ２１、Ｙ２１’は手１００が鉗子ハンド位置（ＦＨＰ）にある場合、薬指２０４のＤＩＰ関節２５２の橈骨側１１０が薬指２０４のＤＩＰ関節２５２の手掌側２２１に会合する場所で始まる。
【００６９】
尺骨アームＹ２、Ｙ２’の指区画Ｙ２１、Ｙ２１’は手１００が鉗子ハンド位置（ＦＨＰ）にある場合、小指２０５のＤＩＰ関節２５２の尺骨側１１１で終端する。尺骨アームＹ２、Ｙ２’の指区画Ｙ２１、Ｙ２１’は各ＤＩＰ関節２５２で薬指２０４および小指２０５の手のひら（内部）表面に接続することにより形成されるライン３５０に従う。しかしながら、尺骨アームＹ２、Ｙ２’の手掌区画Ｙ２２、Ｙ２２’は手１００の尺骨側１１１上の水平皺１０８と手首１２０の豆状骨１２６間の小指球筋肉領域１１６上の領域Ｍで終端する。尺骨アームＹ２、Ｙ２’の手掌区画Ｙ２２、Ｙ２２’は、手１００が鉗子ハンド位置（ＦＨＰ）にある場合、小指２０５のＤＩＰ関節２５２の尺骨側１１１で終端する。尺骨アームＹ２の概略図４００Ｙでの指区画Ｙ２１と尺骨アームＹ２の手掌区画Ｙ２２が会合し鈍角Ｙ６を形成する。
【００７０】
概略図４００Ｙと４００Ｙ’の末端脚部Ｙ３、Ｙ３’は、手１００が鉗子ハンド位置（ＦＨＰ）にある場合、薬指２０４のＤＩＰ関節２５２の橈骨表面２１１を有する薬指２０４の手掌表面２０４のＤＩＰ関節２５２から出ている。末端脚部Ｙ３は手１００の親指２０１の先端２０１ａ、人差指２０２の先端２００ａ、および中指２０３の先端２００ａにより作られるＢ面で終端する。
【００７１】
接合部２１４は共通点Ｙ４に対応する。接合部２１４は、手１００が鉗子ハンド位置（ＦＨＰ）にある場合、薬指２０４のＤＩＰ関節２５２の橈骨表面２１１を有する薬指２０４のＤＩＰ関節２５２の手掌表面２１０の会合部で形成される。したがって、接合部２１４は橈骨アームＹ１、尺骨アームＹ２、および末端脚部Ｙ３が会合する概略図４００Ｙ上の位置を決定する。
【００７２】
橈骨アームＹ１、Ｙ１’は直線または湾曲状である。尺骨アームＹ２、Ｙ２’は鈍角Ｙ６、Ｙ６’に適合するように角度付け又は湾曲される。概略図４００Ｙにおいて、図示されるように橈骨アームＹ１と尺骨アームＹ２が会合する鈍角Ｙ２が形成される。末端脚部Ｙ３、Ｙ３’は直線又は湾曲状であり、末端端部Ｙ３３、Ｙ３３’を有する。橈骨アームＹ１、Ｙ１’の長さは手のサイズで変わる。同様に、尺骨アームＹ２、Ｙ２’の長さは手のサイズで変わる。末端脚部Ｙ３、Ｙ３’の長さも手のサイズで変わる。
【００７３】
図４Ａ、図４Ｂ、および図４Ｃに示されるように、本発明の鉗子／ピンセットハンドル４００の実施例が一般的に非対称なＹ又はパチンコ形状で形成される。本発明の鉗子／ピンセットハンドル４００は２つの対向するブレード部４１０を有する。本発明の鉗子／ピンセットハンドル４００の各対向するブレード部４１０は他方のブレード部の鏡像である。本発明の鉗子／ピンセットハンドル４００の各対向するブレード部４１０は橈骨アーム４１５、尺骨アーム４２５、および末端脚部４３５が伸びる中央接続領域ＣＯＮを有する。本発明の鉗子／ピンセットハンドル４００の近接部４０５は手１００で支持される。本発明の鉗子／ピンセットハンドル４００の末端部４０６は握りおよびつまみの作用、および切断を含む他の機械的作用を実施する。
【００７４】
各対向するブレード部４１０の近接部４０５ａは橈骨アーム４１５と尺骨アーム４２５を有する。各対向するブレード部４１０の橈骨アーム４１５と尺骨アーム４２５は接続領域ＣＯＮで会合する。本発明の鉗子／ピンセットハンドル４００の各対向するブレード部４１０の尺骨アーム４２５は指区画４２５ａと手掌区画４２５ｂを有する。指区画４２５ａと手掌区画４２５ｂは図３Ａの概略図４００Ｙの尺骨Ｙ２アームに関する断面で上述したように鈍角Ａ５で会合する。
【００７５】
各対向ブレード部４１０の橈骨アーム４１５の手掌端部４１７は橈骨ヒンジ４１６を形成するように会合する。各対向ブレード部４１０の尺骨アーム４２５の手掌端部４２７は尺骨ヒンジ４２６を形成するように会合する。ヒンジ４１６および４２６は一方のブレード部４１０が連続し又は他方のブレード部４１０内に一体的に形成されるように形成可能である。また、ヒンジ４１６および４２６はヒンジ構成のような機械接続手段から形成可能である。橈骨ヒンジ４１６と尺骨ヒンジ４２６は対向するブレード部４１０が互いに向かって且つ離間して動くのを可能にする。
【００７６】
各対向するブレード部４１０の末端脚４３５は接続領域ＣＯＮから伸びる。各対向するブレード部４１０の末端端部４３５の近接区画４３５ｂは接続領域ＣＯＮに取り付けられる。各対向するブレード部４１０の末端脚部４３５の末端端部４３５ａは鉗子／ピンセットハンドル４００から自由に伸びている。各末端端部４３５の末端端部４３５ａは一体作用端部４５０ａであり、又は握り、つまみ、又は切断のような種々の適切な作用又は機能を実行する複数の変形取付け具を有する。
【００７７】
橈骨アーム４１５の幅４１５ｗは人差指２０２の基部の幅に近い。尺骨アーム４２５の幅４２５ｗは人差指２０２の基部の幅に近い。末端脚部４３５の末端端部４３５ａの幅４３５ｗは人差指２０２の末端パッド２０２ｂと中指２０３の末端パッド２０３ｂの合成幅に近い。
【００７８】
橈骨アーム４１５の手掌端部４１７は手１００の橈骨側１１０の手掌１０２の対応する表面と一致している。尺骨アーム４２５の手掌端部４２７は手１００の尺骨側１１０の手掌１０２の対応する表面と一致している。代案として、橈骨アーム４１６の手掌端部４１７と尺骨アーム４２５の手掌端部４２７を互いに平行にすることが可能である。
【００７９】
図４Ｂで示されるように、本発明の鉗子／ピンセットハンドル４００は３区画を有する。橈骨区画４０１、中間区画４０２、および尺骨区画４０３が有る。本発明の鉗子／ピンセットハンドル４００の橈骨区画４０１は手１００の橈骨側１１０に関係し、手１００の親指２０１、人差指２０２、および手掌１０２と接触する。中間区画４０２は、ＣＴ１２４上の領域と接触することなく、中指２０３と薬指２０４と接触する本発明の鉗子／ピンセットハンドル４００の領域を含む。尺骨区画４０３は手１００の小指２０５と尺骨側１１１の掌１０２上の小指球領域１１６と接触する本発明の鉗子／ピンセットハンドル４００を含む。本発明の鉗子／ピンセットハンドル４００は右手１００又は左手１００で使用可能である。
【００８０】
図５Ａおよび図５Ｂは本発明の鉗子／ピンセットハンドルを保持する手であり、鉗子ハンド位置（ＦＨＰ）での手を示す。図５Ａは鉗子／ピンセットハンドルを保持する手の手掌図であり、図５Ｂは鉗子／ピンセットハンドルを保持する手の橈骨図である。図５Ａを参照すると、手１００の橈骨側１１０の水平皺１０８は本発明の鉗子／ピンセットハンドル４００の各対向するブレード部４１０の橈骨アーム４１５の手掌端部４１７の橈骨ヒンジ４１６と接触する。手１００の尺骨側１１１の水平皺１０８と手首１２０の豆状骨１２６間の手掌１００の領域Ｍは本発明の鉗子／ピンセットハンドル４００の各対向するブレード部４１０の尺骨アーム４２５の手掌端部４２７の尺骨ヒンジ４２６と接触する。
【００８１】
図１−図５Ｂを参照すると、薬指２０４の中間指骨２１５の手掌表面２１０と薬指２０４の末端指骨２１６の手掌表面２１０は本発明の鉗子／ピンセットハンドルのような本発明のハンドルの対向するブレード部４１０の尺骨アーム４２５の指区画４２５ａの薬指接触領域４２５ｃと接触する。小指２０５の中間指骨２２５の手掌表面２２０は本発明の鉗子／ピンセットハンドル４００の対向するブレード部４１０の尺骨アーム４２５の指区画４２５ａの小指接触領域４２５ｄと接触する。薬指２０４の中間指骨２１５の橈骨側表面２１１と、薬指２０４の末端指骨２１６の橈骨側表面２１１は本発明の鉗子／ピンセットハンドル末端脚部４２５の近接区画４３５ｂと接触する。
【００８２】
親指２０１の末端パッド２０１ｂは本発明の鉗子／ピンセットハンドル４００の対向する一方のブレード部４１０の末端脚部４３５の末端端部４３５ａと接触し、人差指２０２の末端パッド２０２ｂと中指２０３の末端パッド２９３ｂは本発明の鉗子／ピンセットハンドル４００の鏡像ブレード部４１０と接触する。
【００８３】
手１００は好ましくは、５つの接触位置で、本発明の鉗子／ピンセットハンドル４００のような本発明のハンドルを支持する。第１の支持位置は手１００の水平皺１０８の橈骨側１１０が本発明の鉗子／ピンセットハンドル４００の各対向するブレード部４１０の橈骨アーム４１５の手掌端部４１７と接触する箇所である。第２の支持位置は手１００の水平皺１０８の尺骨側１１１が本発明の鉗子／ピンセットハンドル４００の各対向するブレード部４１０の尺骨アーム４２５の手掌端部４２７と接触する箇所である。しかしながら、最適な第２の支持位置は本発明の鉗子／ピンセットハンドル４００の各対向するブレード部４１０の尺骨アーム４２５の手掌端部４２５ｂが領域Ｍと接触する箇所である。領域Ｍは水平皺１０８の尺骨側１１１と手１００の尺骨側１１１の手首１２０の豆状骨１２６間にほぼ位置決めされる。第３の支持位置は薬指２０４の手掌表面２１０の中間指骨２１５の手掌表面と２１０、および本発明の鉗子／ピンセットハンドル４００の各対向するブレード部４１０の各尺骨アーム４２５の指区画４２５ａの薬指接触領域４２５ａの手掌表面２１０の末端指骨２１６の手掌表面２１０である。第４の支持位置は薬指２０４の中間指骨２１５の橈骨側表面２１１と薬指２０４の末端指骨２１６の橈骨側表面２１１が本発明の鉗子／ピンセットハンドル４００の末端脚部４３５の末端区画４３５ｂの薬指接触領域４３５ｃと接触する箇所である。第５の支持位置は小指２０５の末端指骨２２５の手掌表面２２０と小指２０５の末端指骨２２６の手掌表面２２０が本発明の鉗子／ピンセットハンドル４００の対向するブレード部４１０の各尺骨アーム４２５の小指区画４２５ａの小指接触領域４２５ｄと接触する箇所である。
【００８４】
本発明の鉗子／ピンセットハンドル４００のような本発明のハンドルのための手１００中での支持と安定は薬指２０４の末端指骨２１６での深部屈筋前腕筋肉収縮および薬指２０４の中間指骨２１５での皮下屈筋前腕筋肉収縮により、且つ小指２０５の末端指骨２２６での深部前腕筋肉収縮および対向するブレード部４１０の尺骨アーム４２５の指区画４２５ａ上の小指２０５の中間指骨２２５での皮下屈筋前腕筋肉収縮により増大する。このような収縮は手１００の橈骨側１１０の手掌１０２の水平皺１０８に抗しておよび手１００の尺骨側１１１の掌１０２の領域Ｍ内の位置に抗して本発明の鉗子／ピンセットハンドル４００を引っ張る。本発明の鉗子／ピンセットハンドル４００のような本発明のハンドルにより保持された物体を手１００で持ち上げるための支持は本発明の鉗子／ピンセットハンドル４００の末端脚部４３５の近接区画４３５ｂの薬指接触領域４３５ｃと薬指２０４の橈骨表面２１１での接触により増大する。
【００８５】
対向するブレード部４１０の末端脚部４３５の末端端部４３５ａは本発明の鉗子／ピンセットハンドル４００をつまむために動く。つまみは鉗子／ピンセットハンドルの機能である。親指２０１の末端パッド２０１ｂと人差指２０２の末端パッド２０２ｂを閉じることは普通の鉗子／ピンセットを使用する場合に支持のために寄与する。しかしながら、親指２０１、人差指２０２、および中指２０３は本発明の鉗子／ピンセットハンドル４００の支持のために必ずしも必要ではない。親指２０１、人差指２０２、および中指２０３はつまむ場合のみに関与する。本発明の鉗子／ピンセットハンドル４００を使用する場合、親指２０１、人差指２０２、および中指２０３は一般的に本発明の鉗子／ピンセットハンドル４００を支持するために使用されない。したがって、本発明の鉗子／ピンセットハンドル４００を使用すると、細かい又は粗いつまみ動作のため親指２０１、人差指２０２、および中指２０３を曲げる筋肉の緊張を減少させる。
【００８６】
ハンド計測値
本発明の提案された鉗子／ピンセットハンドル４００の開発の目標の１つはハンドルを手にフィットさせることである。製靴業で認識されるように、足は長さと幅の範囲を有する。手についても同様である。手首から長い指２００の先端２００ａまでの長さと、手１００の橈骨側１１０から手１００の尺骨側１１１までの幅は手が短く且つ長く、短く且つ狭く、長く且つ広く、長く且つ狭くなるように変化する。一般に、男の手は女の手より長く、広い。
【００８７】
多くの手を測定するため本発明の提案された鉗子／ピンセットハンドル４００のような本発明のハンドルための１つのサイズを明らかにすることが可能である。しかしながら、本発明の提案された鉗子／ピンセットハンドル４００を保持することは、もし鉗子ハンド位置（ＦＨＰ）での手１００のために種々のサイズで作られても、少ない筋肉の作用力ですみ、より快適であり、より大きい安定度を有する。本発明の提案された鉗子／ピンセットハンドル４００のような本発明のハンドルのための手のサイズは図２Ａおよび図２Ｂで示されるように鉗子ハンド位置（ＦＨＰ）での手で得られる測定値に依存する。
【００８８】
図６Ａおよび図６Ｂを参照すると、ラインＡ１、ラインＡ２およびラインＡ３は人間の手のための本発明の鉗子／ピンセットハンドル４００のような本発明のハンドルのサイズの範囲を決定するために使用される。ラインＡ１は手１００の掌１０２の水平皺１０８の橈骨側１１０に伸びる人差指２０２の先端２００ａと中指２０３の先端２００ａ間の空間３２０からの距離である。ラインＡ２は手１００の掌１０２の尺骨側１１１の水平皺１０８と豆状骨１２６間の距離のほぼ半分の領域Ｍ内のＰ点に伸びる人差指２０２の先端２００ａと中指２０３の先端２００ａ間の空間３２０からの距離である。
【００８９】
距離ラインＡ１およびラインＡ２は図２Ａと図２Ｂに示されるような人差指２０２の先端２００ａと中指２０３の先端２００ａに対向する親指２０１の先端２０１ａと、図６Ｂに示される手１００で計測される。ラインＡ３は手１００の掌１０２の水平皺１０８の橈骨側１１０から手１００の掌１０２の尺骨側１１１の小指球筋肉領域１１６上の領域Ｍ内のＰ点までの距離である。
【００９０】
本発明のハンドルのための各測定値は鉗子ハンド位置（ＦＨＰ）での右手１００又は左手１００用の、図７に示される分度器測定装置７００で、得られる。分度器測定装置は分度器７１０と、定規ＡＡ１、ＡＡ２、およびＡＡ３のような計測手段から形成された三角形計測部材を含む。各定規はスロットを有し、即ち、定規ＡＡ１でスロット７０５、定規ＡＡ２でスロット７０６、および定規ＡＡ３でスロット７０７を有する。リベットのような締付け具は定規を接続するためスロットを貫通し、各定規は他の定規に沿って滑動する。リベット７０５はゼロ度軸Ｘ１が９０度軸Ｘ２に会合する分度器７１０の中心に定規ＡＡ１および定規ＡＡ２を接続する。定規ＡＡ１はリベット７０２により分度器７１０のゼロ軸Ｘ１に沿って分度器７１０に接続される。定規ＡＡ１とＡＡ２はリベット７０１に沿って動く。定規ＡＡ３はリベット７０３で定規ＡＡ１に可動的に接続される。定規ＡＡ３はリベット７０４で定規ＡＡ２に可動的に接続される。
【００９１】
ラインＡ１、ラインＡ２およびラインＡ３の距離は定規ＡＡ１、定規ＡＡ２、および定規ＡＡ３に沿ってセンチメータ単位で好ましく測定される。ラインＡ１の測定値は定規ＡＡ１上の手１００の橈骨側１１０の水平皺１０８で始まる。ラインＡ２の測定値は手１００の尺骨側１１１の水平皺１０８と定規ＡＡ２上の豆状骨１２６間の領域Ｍ内のＰ点で始まる。ラインＡ１とＡ２の測定値はリベット７０１で終了する。定規ＡＡ３は定規ＡＡ１および定規ＡＡ２に沿って滑り、手１００の掌１０２に接触する。ラインＡ３の測定値は定規ＡＡ３が等級マーク７１５に対して定規ＡＡ１と交差し、定規ＡＡ３が定規ＡＡ２の等級マーク７１５と交差する等級マーク７１５で読み取られる。分度器７１０の角度読取領域７１２はラインＡ１とＡ２間の角度を決定するため定規ＡＡ２のスロット７０６で読み取られる。
【００９２】
５０人の男性と４０人の女性の右手に関して測定された。このグループの男性の高さは５フィート６インチから６フィート４インチである。女性の高さは４フィート１１インチから６フィートである。男性の手のラインＡ１のための測定値は７センチから９．５センチの範囲であった。女性の手のラインＡ１のための測定値は７センチから８．５センチの範囲であった。男性の手のラインＡ２のための測定値は９センチから１１．５センチの範囲であった。女性の手のラインＡ２のための測定値は９センチから１１センチの範囲であった。男性の手のラインＡ３のための測定値は６．５センチから８センチの範囲であった。女性の手のラインＡ３のための測定値は６センチから７．５センチの範囲であった。男の角度読取領域７１２からの角度読取値は平均４５度であり、女の角度読取領域７１２からの角度読取値は平均４０度であった。予想通りに、男性の手は女性の手より長く且つ幅広である。このデータは提案された本発明の鉗子／ピンセットハンドル４００のサイズのグループを明示するために分析できる。
【００９３】
代案計測装置
鉗子／ピンセットハンドル４００のような本発明のハンドルのサイズと形状を決定するために使用されるような手１００を計測するための矩形計測装置は好ましくは図８Ａに示されるような４つの定規のような計測部材から構成され、本発明の鉗子／ピンセットハンドル４００のためのサイズを測定するため手１００が鉗子ハンド位置（ＦＨＰ）にある場合に使用できる。定規又は計測部材はそれぞれＤＤ、ＥＥ、ＥＦ、およびＧＧで示される。各定規ＤＤ、ＥＥ、ＦＦ、およびＧＧは互いに直角に設定される。定規ＤＤおよびＥＥは、図８Ａに示されるように、一般的に平行でありＸ軸方向に伸びている。定規ＦＦおよびＧＧは、図８Ａに示されるように、一般的に平行でありＹ軸方向に伸びている。各定規ＤＤ、ＥＥ、ＦＦ、およびＧＧは長さの中心に沿って対応するスロット８０６、８０７、８０８および８０９を有する。定規ＤＤ、ＥＥ、ＦＦ、およびＧＧは定規ＤＤ、ＥＥ、ＦＦおよびＧＧが矩形計測装置８００内でゆるく接続されるようにリベット８０１、８０２、８０３、および８０４のような締付け具又は他の好ましい締付け具により接続される。リベット８０１、８０２、８０３、および８０４でのゆるい接続は各定規ＤＤ、ＥＥ、ＦＦ、およびＧＧがＸ軸方向および／又はＹ軸方向に滑動するのを可能にする。定規ＤＤ、ＥＥ、およびＦＦの次元（長さおよび幅）は同一であり、定規ＧＧは一般的に定規ＧＧの長さのほぼ半分で上昇部８１２で始まる５ミリ幅部分８１０のようなより広い領域を有する。定規ＧＧの他方の半分は標準定規または他の適切な計測装置であり、定規ＧＧの狭い部分８１１と同じである。測定は図８ＡのＲＨＴにより示される定規ＤＤおよびＥＥの右から始まる。測定は定規ＦＦのために定規ＤＤの近くで開始する。測定は定規ＧＧのために定規ＥＥの近くで始まる。定規ＧＧの広い部分は矩形構成８００の内部ＩＮＳに面する。
【００９４】
矩形計測装置８００は鉗子ハンド位置（ＦＨＰ）での右手１００を測定するためＣ面（図２Ｂおよび図６Ｂの参照）に沿って位置決めされる。定規ＤＤの右手ＲＨＴは手１００の掌１０２の橈骨側１１０の水平皺１０８に接触する。定規ＥＥの右側ＲＨＴは手１００の尺骨側１１１の掌１０２の領域ＭのＰ点に配置される。図８Ａおよび図８Ｂに示されるように、定規ＦＦは、親指２０１の先端２０１ａが人差指２０２の先端２００ａと中指２０３の先端２００ａ間の空間３２０に対向するＢ面（図２Ａおよび図８Ｂを参照）に定規ＦＦの外端部ＦＯＵＴがあるまで、定規ＤＤに沿ったＸ軸方向に且つ定規ＦＦに沿ってＸ軸方向に動く。定規ＧＧの狭い部分８１１が小指２０５のＤＩＰ関節２５２の掌表面２２０と接触するまで、定規ＧＧは定規ＤＤとＥＥに沿ってＸ軸方向に動く。定規ＧＧの上昇部８１２が小指２０５のＤＩＰ関節２５２の橈骨側１１０と接触するまで、定規ＧＧはＹ軸方向に動く。広部分８１０は薬指２０４の掌表面２１０と接触する。これにより手のサイズを測定するため定規ＤＤ、ＥＥ、ＦＦ、およびＧＧの位置決めを完了する。
【００９５】
図８Ａ−図８Ｄを参照すると、測定は測定距離Ｄ、Ｅ、Ｆ、Ｆ’、Ｇ、ＨおよびＩに沿って実施される。測定距離Ｄは手１００の橈骨側１１０の水平皺１０８から矩形測定装置８００の定規ＦＦの外部側ＦＯＵＴまでの矩形測定装置８００の定規ＤＤの外部側ＤＯＵＴで測定される。測定距離Ｅは、小指２０５が定規ＧＧの狭部分８１１と接触している場合および手１００が鉗子ハンド位置（ＦＨＰ）にある場合、手１００の尺骨側１１１の領域Ｍ内のＰ点から小指２０５の掌表面２２０までの矩形測定装置８００の定規ＥＥの内部側ＥＩＮに沿って計測される。測定距離Ｆは、手１００が鉗子ハンド位置（ＦＨＰ）にある場合、定規ＤＤの外部側ＤＯＵＴから中指２０３の尺骨側２１３ａまでの矩形測定装置８００の定規ＦＦの外部側ＤＤに沿って測定される。測定距離Ｆ’は人差指２０２の橈骨側２０３ａから中指２０３の尺骨２０３ｃまで定規ＦＦに沿って測定される。測定距離Ｇは、手１００が鉗子ハンド位置（ＦＨＰ）にある場合、定規ＥＥの内部側ＥＩＮから小指２０４の橈骨側１１０まで矩形測定装置８００の内部側ＩＮＳ上の定規ＧＧに沿って測定される。測定装置Ｈは矩形測定装置８００の定規ＦＦの外部側ＦＯＵＴから定規ＧＧの内部側ＧＩＮの広部分８１０まで定規ＤＤに沿って測定される。測定装置Ｉは矩形測定装置８００の定規ＤＤの外部側ＤＯＵＴから定規ＥＥの外部側ＥＯＵＴの広部分８１０まで定規ＧＧに沿って測定される。
【００９６】
図８Ａ−図８Ｄを参照すると、ラインＤ、Ｅ、Ｆ、Ｇ、ＨおよびＩからの測定値は本発明の鉗子／ピンセットハンドル４００のようなハンドル形状を形成するため方眼紙のような媒体に好ましく描かれ又は記録される。まず、測定距離ＥがＸ方向に引かれる。測定距離Ｇは所定の距離、典型的には、測定距離Ｅの左側に対して５ミリ、で始まりＹ軸方向に描かれる。次に、測定距離ＨはラインＧの上部ＧＴＯＰで始まるＸ軸方向に描かれる。測定距離ＩはＸ軸方向で、且つ測定距離Ｅに沿って所定の位置で始まるように描かれる。次に、測定距離ＤはＸ軸方向に描かれる。測定距離Ｄは測定距離Ｉの上部ＩＴＯＰに接触し、測定距離の左端部ＤＬＦＴは計測距離Ｈの左端部ＨＬＦＴとして同じＹ軸方向を共有する。測定距離Ｆは測定距離Ｄの左端部ＤＬＦＴで始まるＹ軸方向に描かれる。測定距離Ｆ’は測定距離Ｆと同じラインに描かれる。
【００９７】
上述のように、本発明の鉗子／ピンセットハンドル４００のようなハンドルは複数のサイズで得られる。本発明の鉗子／ピンセットハンドル４００のサイズは、図８Ｃおよび図８Ｄに示されるように、ラインを描いて対応する測定距離Ｄ、Ｅ、Ｆ、Ｇ、Ｈ、およびＩ上の点Ｄ１、Ｆ１、Ｆ１’、Ｇ１、Ｅ１、およびＥ２を接続することによりまとめられる。図８Ａ−図８Ｄに示されるように、最初の２点間ラインはＤ１点とＦ１’点を接続するラインＺである。第２ラインはＦ１’点をＦ１点に接続するラインＹである。ラインＸはＦ１点をＧ１点に接続し、Ｇ１点をＥ１点に接続するラインＷが続く。ラインＶはＥ１点をＥ２点に接続する。最終的に、ラインＵがＤ１点からＥ２点に引かれ、本発明の鉗子／ピンセットハンドル４００のようなハンドル測定のための境界線ＰＥＲが完成する。種々の手のサイズの境界線ＰＥＲが本発明のハンドルのためのサイズ範囲を形成するために比較される。上述のように、本発明の鉗子／ピンセットハンドル４００は手１００と以下の位置で、即ち、手１００の尺骨側１１１の掌１０２の水平皺１０８で、手１００の尺骨側１１１の掌１０２の領域Ｍで、小指２０５の掌表面２２０と共に薬指２０４の掌表面２１０で、薬指２０４の橈骨側表面２１１で、親指２０１の末端パッド２０１ｂで、人差指２０２の末端パッド２０２ｂで、且つ中指２０３の末端パッド２０３ｃで、接触する。
【００９８】
本発明の鉗子／ピンセットハンドル４００のサイズは境界線ＰＥＲの測定値をプロットし又は記録することにより決定される。しかしながら、本発明の鉗子／ピンセットハンドル４００の形状は手１００とある領域で接触する境界線ＰＥＲでの領域に関係する。図８Ｃおよび図８Ｄを参照すると、ハンドルの測定値をまとめる種々の区画は手１００と対応する接触領域のためのニ重矢印付ラインで示される。ラインＵの区画Ｎは手１００の橈骨側１１０の掌１０２の水平皺１０８に関係する境界線ＰＥＲでの制限接触領域である。ラインＵの区画Ｏは手１００の尺骨側１１１の掌１０２の領域Ｍに関係する境界線ＰＥＲでの制限接触領域である。ラインＷの区画Ｒは薬指２０４の掌表面２１０と小指２０５の掌表面２２０に関係する境界線ＰＥＲでの制限接触領域である。ラインＸの区画Ｐは薬指２０４の橈骨側２１１に関係する境界線ＰＥＲでの制限接触領域である。ラインＸの区画Ｑ、ラインＹの区画Ｓ、およびラインＺの区画Ｔの組合せが人差指２０２の末端パッド２０２ｂと中指２０３の末端端部２０３ｂに関係する境界線ＰＥＲでの制限接触領域である。ラインＸの区画Ｑ、ラインＹの区画Ｓ、およびラインＺの区画Ｔの組合せが本発明の鉗子／ピンセットハンドル４４０のようなハンドルの対向するブレード部４１０の末端端部４３５ａで再現され、親指２０１の末端パッド２０１ｂのための分離領域を組み込む必要性を不要にできる。
【００９９】
したがって、境界線ＰＥＲ上のラインＵの区画Ｎ、ラインＵの区画Ｏ、ラインＸの区画Ｐ、ラインＸの区画Ｑ、ラインＷの区画Ｒ，ラインＹの区画Ｓ、およびラインＺの区画Ｔ上にないラインＵ、Ｖ、Ｗ、Ｘ、Ｙ、およびＺの線分又区画は、これらの領域が一般的に本発明の鉗子／ピンセットハンドル４００のようなハンドル上の手１００の部分と接触しないので、任意の曲線又は形状にできる。
【０１００】
ハンドルの変形例
図９Ａおよび図９Ｂを参照すると、図９Ａおよび図９Ｂに示されるような本発明の鉗子／ピンセットハンドル４００のようなハンドルの尺骨４２５の薬指接触領域４２５ｃと小指接触領域４２５ｄで変形される。段部４２５ｅは手１００が鉗子ハンド位置（ＦＨＰ）にある場合、薬指２０４の掌表面２１０と小指２０５の掌表面２２０と適合させるため薬指接触領域４２５ｃと小指接触領域４２５ｄ間の尺骨アーム４２５の指区画４２５ａに組み込み可能である。さらに、本発明の鉗子／ピンセットハンドル４００のようなハンドルの尺骨アーム４２５は、手１００が鉗子ハンド位置（ＦＨＰ）にある場合、薬指２０４の掌表面２１０と小指２０５の掌表面２２０と合致させるため直線４２５ｆにできる。
【０１０１】
図９Ｃおよび図９Ｄに示されるように、本発明の鉗子／ピンセットハンドル４００のようなハンドルの対向するブレード部４１０の末端脚部４３５の末端端部４３５ａは親指の末端パッド２０１ｂ、人差指２０２の末端パッド２０２ｂ、および中指２０３の末端パッド２０３ｂを参照するため開口部４３５ｃ、凹部４３５ｄ、凸部又は他の手段を有する。本発明の鉗子／ピンセットハンドル４００のようなハンドルの対向するブレード部４１０の末端脚部４３５の末端端部４３５ａの幅は手１００の人差指の末端パッド２０２ｂおよび中指２０３の末端パッド２０３ｂの中央部との接触を可能にするため制限される。
【０１０２】
本発明の鉗子／ピンセットハンドル４００のようなハンドルは図７−図８Ｄを参照して上述の測定値に基いて１つのサイズ又は種々のサイズで製作可能である。本発明の鉗子／ピンセットハンドル４００の複数のサイズを製作するための代案は本発明の鉗子／ピンセットハンドル４００のようなハンドルを手のサイズの範囲で適合するため拡張部４１８、４２８に加えられる。図９Ｅおよび図９Ｆに示されるように、例えば、拡張部４１８は橈骨アーム４１５の橈骨ヒンジ４１６に追加され、拡張部４２８は本発明の鉗子／ピンセットハンドル４００の尺骨アーム４２５の尺骨ヒンジ４２６に追加される。
【０１０３】
図９Ｆに示されるように、拡張部４１８、４２８は本発明の鉗子／ピンセットハンドル４００の対向するブレード部４１０の橈骨アーム４１５の橈骨ヒンジ４１６と尺骨アーム４２５の尺骨ヒンジ４２６の端部４１６ａ、４２６ａに取り付けるためカラー部４１８ａ、４２８ａおよびバネ機構４１８ｂ、４２８ｂを有する。さらに、図９Ｇに示されるように、本発明の鉗子／ピンセットハンドル４００の拡張部４１８、４２８の手掌端部４１９、４２９は一般的に円形である。
【０１０４】
いくつかの例において、つまみ力が緩めされる場合、本発明の鉗子／ピンセットハンドル４００のようなハンドルの対向するブレード部４１０の末端脚部４３５の末端端部４３５ａ間でつまみ力が緩められると、距離に対応する静止距離を維持することが好ましい。図１０Ａおよび図１０Ｂは、本発明の鉗子／ピンセットハンドル４００の図１０Ａおよび図１０Ｂに示される静止位置ＲＥＳを維持するため、本発明の鉗子／ピンセットハンドル４００の対向するブレード部４１０の末端脚部４３５の末端端部４３５ａ間に挿入されるバネ機構４３７ａ、４３７ｂを図示している。図１０Ａに示されるようなバネ部材４３７ａは末端端部４３５ａの整合を維持でき、作用先端４５０が合致し、互いに対して過大な浮動を受けない。
【０１０５】
本発明の鉗子／ピンセットハンドル４００のようなハンドルを使用する場合、本発明の鉗子／ピンセットハンドル４００のようなハンドルの対応するブレード部４１０の末端脚部４３５の末端端部４３５ａに取り付けられた作用先端４５０の閉鎖又は部分的な閉鎖を維持することが望ましい。図１０Ｃ、図１０Ｄ、および図１０Ｅは本発明の鉗子／ピンセットハンドル４００のようなハンドルの閉鎖又は部分閉鎖位置を維持するため本発明の鉗子／ピンセットハンドル４００の対応するブレード部４１０の末端脚部４３５の末端端部４３５ａ間に挿入されたクランプ機構４３８を図示している。
【０１０６】
図１０Ｃに示されるように、クランプ機構４３８は本発明の鉗子／ピンセットハンドル４００のハンドルの対向するブレード部４１０の対応するブレード部の末端脚部４３５の末端端部４３５ａに付属物４３８ｂを介して取り付けられたクランプ支柱４３８ａを含む。図１０Ｄはクランプ機構４３８を有する本発明の鉗子／ピンセットハンドル４００の一般的な閉鎖位置を示す。図１０Ｅは、一般的に開口位置にある本発明の鉗子／ピンセットハンドル４００のようなハンドルを有するクランプ機構４３８の前面図を示す。
【０１０７】
クランプ支柱４３８ａは本発明の鉗子／ピンセットハンドル４００のようなハンドルの対向するブレード部４１０の末端脚部４３５の他の末端端部４３５ａに開口部４３８ｃを介して伸びる。クランプ支柱４３８ａは本発明の鉗子／ピンセットハンドル４００のようなハンドルの対向するブレード部４１０の末端脚部４３５の末端端部４３５ａの作用端部４５０を維持するため歯部４３８ｅと係合するロッキングプレート４３８ｄを有する。クランプ支柱４３８ａの末端端部４３８ｆは、本発明の鉗子／ピンセットハンドル４００のようなハンドルが左手１００により使用される場合、親指２０１の先端２０１ａおよび人差指２０２の先端２００ａにより押され、ロッキングプレート４３８ｆからクランプ支柱４３８ａを解放し、本発明の鉗子／ピンセットハンドル４００を開く。
【０１０８】
図１０Ｆおよび図１０Ｇに示される他の変形例において、親指２０１、人差指２０２、および中指２０３のリング４３９は本発明の鉗子／ピンセットハンドル４００のようなハンドルの対向するブレード部４１０の末端脚部４３５の末端端部４３５ａに取り付けられ、本発明の鉗子／ピンセットハンドル４００の作用端部４５０を広げる。
【０１０９】
図１１Ａ、図１１Ｂ、および図１１Ｃは本発明の鉗子／ピンセットハンドル４００のようなハンドルの（ＣＯＮとして図４に指定された）中央接続領域４４０での他の変形例を示す。中央接続領域４４０は本発明の鉗子／ピンセットハンドル４００のようなハンドルの取り付けられた橈骨アーム４１５および尺骨アーム４２５の各運動を可能にする回転機構４４５を有する。このような角運動により、手が複数の手１００のサイズのため手１００の掌１０２の橈骨側１１０で水平皺１０８と接触する場合、本発明の鉗子／ピンセットハンドル４００のようなハンドルの橈骨アーム４１５の掌端部４１７と尺骨アーム４２５の掌端部４２７の位置を使用者の快適さに対して調整できる。図１１Ａに示される角度Ｋは図７で示される分度器計測装置７００での角度読取値７１０に対応する。前述されたように、女性の手のために決定される角度Ｋに対応する角度読取値７１０は典型的には４０度であり、男性の手のために決定される角度Ｋに対応する角度読取値７１０は典型的には４５度である。本発明の鉗子／ピンセットハンドル４００のようなハンドルの中央接続領域４４０で回転機構４４５の回転運動の範囲はハンドルのサイズ間の重複を補償するため、図１１Ａに示される、角度Ｋを典型的には３５度から５０度間に維持するために設定する。さらに、本発明の鉗子／ピンセットハンドル４００のようなハンドルの各橈骨アーム４１５と各尺骨アーム４２５は異なるサイズで作られ、または図９Ｅ、図９Ｆおよび図９Ｇに示されるような拡張部４１９、４２９を有する。
【０１１０】
図１１Ｂおよび図１１Ｃは本発明の鉗子／ピンセットハンドル４００のようなハンドルの中央接続領域４４０での提案された回転機構４４５を図示している。中央接続領域４４０は一般的に半円形の内部スリーブ４４１と一般的に半円形の外部チャネル４４２により境界付けされた一般的に半円形のチャネル４４６を形成するために分割している。橈骨スロット４４３と尺骨スロット４４４はそれぞれ中央接続領域４４０の外部スリーブ４４２内に配置されている。
【０１１１】
橈骨アーム４１５の末端区画４２０と尺骨アーム４２５の末端区画４３０は一般的にテーパー付けされた構成から成る。橈骨アーム４１５の末端区画４２０の末端端部４２０ａと尺骨アーム４２５の末端端部４３０の末端端部４３０ａは中央接続領域４４０の回転機構４４５の半円形チャネル４４６の内部マージン４４０ａで会合する。
【０１１２】
本発明の鉗子／ピンセットハンドル４００のようなハンドルのため、２つのカム４１９ａ、４２９ａは橈骨アーム４１５の橈骨区画４２０と尺骨アーム４２５の末端セクション４３０の外部表面に取り付けられる。カム４１９ａ、４２９ａは端部４１９ｂ、４２９ｂで上昇する。カム４１９ａ、４２９ａは、橈骨アーム４１５の橈骨区画４２０と尺骨アーム４２５の尺骨区画４３０が中央接続領域４４０の回転機構４４５の半円形内部表面４４１と半円形外部表面４４２間の半円形チャネル４４６内に進む場合、半円形外部スリーブ４４２内のスロット４４３、４４４と係合するように設計される。カム４１９ａ、４２９ａは半円形チャネル４４６内に橈骨アーム４１５と尺骨アーム４２５を保持するため橈骨スロット４４３と尺骨スロット４４４内を滑動するように設計される。橈骨スロット４４３と尺骨スロット４４４は各角度に関してほぼ３５度から５０度の範囲内で橈骨アーム３１５と尺骨アーム３２５の回転を可能にするように設計される。
【０１１３】
本発明の鉗子／ピンセットハンドル４００の他の変形例、ハンドル４００ａ、が図１２Ａおよび図１２Ｂに示される。この変形例は本発明の鉗子４００のようなハンドルの対向するブレード部４１０の末端アーム４３６の末端端部４３６ａの幅ＷＤに関する。図１２Ａと図１２Ｂの変形例は親指２０１の先端２０１ａが背景情報で述べられたように長い指２００の先端２００ａの中心に対向する場合に発生できる最大到達可能つまみ強度を達成することに基いている。
【０１１４】
図１−図２Ｂで図示されるように、手１００がＴ位置にある場合、親指２０１の先端２０１ａは人差指２０２の先端２００ａと中指２０３の先端２００ａ間の空間と対向し、長い指２００の先端２００ａはライン３００で終端する。しかしながら、鉗子ハンド位置（ＦＨＰ）において、親指２０１、人差指２０２、および中指２０３はＢ面で会合するようにほぼ完全に伸び、薬指２０４と小指２０５はＴ位置でのようにライン３００で終端するように屈曲する。手１００がＴ位置にある、図１２Ｂに示される本発明の変形例ハンドル４００ａにおいて、親指２０１の先端２０１ａは人差指２０２の先端２００ａと中指２０３の先端２００ａ間の空間３２０から中指２０３の先端２００ａと薬指２０４の先端２００ａ間の空間３３０へ手１００の尺骨側１１１に向かって位置を変えている。
【０１１５】
したがって、図１２Ｂに示されるようなハンドル変形例４００ａにおいて、末端端部４３６ａと末端脚部４３６の幅ＷＤは手がＴ位置にある場合長い手２００に沿った幅と同様である。手１００の橈骨側１１０の水平皺１０８に対する橈骨アーム４１５の橈骨ヒンジ４１６の関係と、手１００の尺骨側１１１の領域Ｍに対する尺骨アーム４２５の尺骨ヒンジ４２６の関係は本発明の鉗子／ピンセットハンドル４００での関係とこの変形例ハンドル４００ａにおいて類似している。変形例ハンドル４００ａは手１００のＣＴ領域１２４と接触しない。
【０１１６】
本発明の鉗子／ピンセットハンドル４００のこの変形例４００ａは作用端部４５０で最大つまみ強度を発生するための潜在力を持っている。しかしながら、典型的に手１００の親指２０１とすべての長い指２００は本発明の鉗子／ピンセットハンドル４００の変形例ハンドル４００ａの末端脚部４３６の末端端部４３６ａをつまむために使用されるので、一般的に物を保持するために少ないつまみ力で済む。
【０１１７】
図１３Ａ−図１３Ｋは、種々の器具をハンドルに接続するため、本発明ハンドル４００、４００ａ、４００ｂ、４００ｃ、および４００ｄのような本発明の種々の実施例での末端端部４３５ａ、４３６ａで結合され、または組み込まれた種々の接続手段を示す。例えば、図１３Ａは作用端部４５０の器具用のネジ型接続手段１１００の図を示す。図１３Ｂは作用端部４５０の器具用のネジ型接続手段１１００、１１０１、およびスナップイン型接続手段１１０２、１１０３、１１０４の図を示す。図１３Ｃ、図１３Ｄ、図１３Ｅ、図１３Ｆ、および図１３Ｇが作用端部４５０の器具用の種々の磁石型接続手段１１０５、１１０６、１１０７、１１０８、１１０９、１１１０、１１１１、１１１２の図を示す。図１３Ａは作用端部４５０の器具用のネジ型接続手段１１００の図を示す。
【０１１８】
例えば、図１３Ｈ−図１３Ｋはハンドルに関係する種々の器具の作用端部４５０の種々の位置変更を可能にする器具の作用端部４５０のための、回転型接続機構１１１３、１１１５、１１２０の図を示し、作用機構１１１３は作用部品１１１４付であり、作用機構１１１５は作用部品１１１６付であり、作用機構１１２０は作用部品１１２１付である。
【０１１９】
本発明のハンドル４００ｂの作用端部４５０の移動方向を変化させる本発明の他のハンドル変形例４００ｂが図１４Ａ、図１４Ｂ、図１４Ｃ、図１４Ｄ、図１４Ｅ、図１５Ａ、および図１５Ｂに示される。例えば、共通の鉗子の先端の移動方向は人差指２０２と中指２０３に対する親指２０１の対向する動きに一般的に平行である。変形例ハンドル４００ｂにおいて、ハンドル４００ｂの先端は人差指２０２と中指２０３に対する親指２０１の対向する動きに対して直交する。これにより、本発明の鉗子／ピンセットハンドル４００のこの変形例ハンドル４００ｂにおいてハンドル４００ｂの先端の動きを横方向運動から上下運動に変化させる。
【０１２０】
細胞組織の切断又は生検のための上下開閉動作で使用される外科用器具の一般例は下垂体骨鉗子である。下垂体骨鉗子のリングハンドルの開閉動作が手１００の親指２０１と長い指２００を互いに近接および末端関係に位置決めする。この近接末端移動は近接末端方向に移動するように滑動部材を活性化する。滑動部材は開閉のため作用部材を活性化する。手１００の親指と長い指２００が近接および末端方向に移動するこのような器具を使用することは典型的には本発明の鉗子／ピンセットハンドル４００のこの変形例ハンドル４００ｂに利用される横方向横対向運動を使用するほど手１００にとって快適ではない。
【０１２１】
図１４Ａ、図１４Ｂ、図１４Ｃ、および図１５Ｂに示されるこの変形例ハンドル４００ｂにおいて、固定部材５００は本発明の鉗子／ピンセットハンドル４００の変形例ハンドル４００ｂの橈骨アーム４１５の橈骨ヒンジ４１６の内部４１６ｂに取り付けられる。固定部材５００上に、図１４Ｅに示されるように開閉するため作用端部部材４５０を駆動する滑動部材５０１がある。ブレイス部材５０２は滑動部材５０１を末端脚部４３５の末端端部４３５ａの内面４３５ｂに接続する。滑動部材ヒンジ５０３はブレイス部材５０２の端部５０３ａを滑動部材５０１に取り付けられ、末端端部ヒンジ５０３ａは本発明の変形例ホルダー４００ｂの末端脚部４３５の末端端部４３５ａの内面４３５ｂに取り付けられる。本発明の変形例ホルダー４００ｂの末端脚部４３５の末端端部４３５ａをつまむと、ヒンジ５０３，５０４のブレイス５０２を動かし、滑動部材５０１を動かす。固定部材５００は回転機構が橈骨ヒンジ４１６の内部４１６ｂに取り付けられると作用端部４５０を回転させる。
【０１２２】
ブレイス５０２の滑動部材ヒンジ５０３が滑動部材５０１の末端ヒンジ５０３ａに配置される場合本発明の鉗子／ピンセットハンドル４００の変形例４００ｂの末端脚部４３５の末端端部４３５ａを圧縮すると手１００から離間するように滑動部材５０１を押し出す。ブレイス５０２の滑動部材ヒンジ５０３が滑動部材５０１の近接ヒンジ５０３ｂに配置される場合、図１５Ｃに示されるように、本発明の鉗子／ピンセットハンドル４００の変形例４００ｂの末端脚部４３５の末端端部４３５ａを圧縮すると手１００の方向に滑動部材５０１を移動させる。滑動部材５０１の移動により、図１４Ｃおよび図１４Ｅに示されような、微細なはさみ又は他の機構を閉じるように滑動部材５０１の端部に取り付けられた種々の機構を駆動できる。
【０１２３】
図１４Ａ−図１４Ｅを参照すると、本発明の変形例ハンドル４００ｂは種々の内視鏡又は外科用器具およびオペレータから離れて作業する他の型の作業器具と共に利用可能である。
【０１２４】
本発明の鉗子／ピンセットハンドル４００の種々の実施例において、末端脚部４３５の末端端部４３５ａ間の間隙は本発明の鉗子／ピンセットハンドル４００の作用端部４５０間の距離より広い。末端脚部４３５の末端端部４３５ａ間の間隙は本発明の鉗子／ピンセットハンドル４００のようなハンドルの対向するブレード部４１０を作るために使用される材料の固有バネ特性に依存する。発明の鉗子／ピンセットハンドル４００を使用する外科用鉗子と外科用器具の末端脚部４３５の末端端部４３５ａ間の間隙は一般的に１センチ又は２センチの間に留まる。より小さい間隙は屈曲を増やし、長い指２００のＰＩＰ関節に緊張を与え、親指２０１の中手指節関節２０１ｃに緊張を与える。大きい間隙はつまむため繊細な運動能力より大きな感覚の鈍さを要求する。
【０１２５】
図１５Ａ―図１５Ｄを参照すると、図１５Ａに示される標準外科用メス１０２０はペン形であり、外科手術での備品である。外科手術中、メスのブレード部１０２１は患者の血清に潜む病原菌に触れる可能性がある。標準のメスのハンドル１０２２に伴う１つの問題は手術室要員に対する穿通創である。不慮の鋭利な傷は補助要員に病気を伝染させる。自動格納式ブレードガードは鋭利な傷を防止できる。
【０１２６】
前述したように、本発明の鉗子／ピンセットハンドル４００の変形例ハンドル４００ｂは固定部材５００に対して滑動部材５０１を動かす。図１５Ｂはメスのブレード１０２１に取り付けられた固定メス部材１００６を囲む格納式滑動ガード１００５を有する格納式メス１０００を示す。図１５Ｂは対向するブレード４１０と格納式滑動ガード１００５に取り付けられた平坦バネ部材１０１０を示す。代案として、コイルバネ手段１０１１は図１５Ｄに示されるように固定メス部材１０６および格納式滑動ガード１００５に取り付け可能である。発明の鉗子／ピンセットハンドル４００の変形例ハンドル４００ｂの固定メス部材１００６の対向するブレード部４１０の末端脚部４３５の末端端部４３５ａが圧縮される場合、ブレイス部材５０２が手術者の手の方向に格納式滑動ガード１００５を動かすため近接ヒンジ５０３ｂを押し、メスのブレード１０２１を露出する。末端脚部４３５の末端端部４３５ａが解放されると、格納式滑動ガード１００５は自動的にメスブレード１２０１をカバーする。
【０１２７】
本発明の鉗子／ピンセットハンドル４００ｂを有する格納式メス１０００の１つの利点は手術室での鋭い傷からの保護を促進することである。他の利点は格納式メス１０００が格納式メス１０００を保持し且つ操作する手１００をより快適にする自動鉗子ハンド位置（ＦＨＰ）に基いていることである。
【０１２８】
図１６Ａおよび図１６Ｂは、マイクロはさみである、図１６Ａの作用端部４５０と、リバースピンセットである、図１６Ｂの作用端部４５０を有する発明の鉗子／ピンセットハンドル４００に取り付けられた作用端部４５０を示す。
【０１２９】
図１７は本発明の鉗子／ピンセットハンドル４００の変形例のハンドル４００ｃを有する標準サイズのはさみを示す。図１６Ａに示される、マイクロはさみ付属物４５０のような多くの外科用器具の作用端部４５０の付属物は一般的に、手１００が鉗子ハンド位置（ＦＨＰ）にある場合、対向するブレード部４１０の末端脚部４３５の末端端部４３５ａから親指２０１、人差指２０２、および中指２０３と同じ一般的方向に伸びている。図１７に示される本発明の鉗子／ピンセットハンドル４００の標準サイズのはさみ変形例ハンドル４００ｃにおいて、標準サイズ変形例ハンドル４００ｃは標準サイズはさみブレード４５１に取り付けられる。
【０１３０】
しかしながら、標準サイズはさみ変形例ハンドル４００ｃの標準サイズはさみブレード４５１に対する手１００の関係は典型的には、手１００が鉗子ハンド位置（ＦＨＰ）にある場合、親指２０１、人差指２０２、および中指２０３と同じ一般的方向ではない。手１００に関して標準サイズはさみ変形例ハンドル４００ｃの標準サイズはさみブレード４５１の方向は図２Ａに示されるラインＪに対する手１００の関係に関係する。ラインＪは、手１００が鉗子ハンド位置（ＦＨＰ）にある場合、人差指２０５と中指２０３間の空間３１０と、小指２０５のＤＩＰ関節２５２の背面２５２ａと接続する。標準サイズはさみ変形例ハンドル４００ｃのための標準はさみのブレード４５１の付属物はブレード４５１の中心の軸ＡＸがラインＪに平行であるように取り付けられる。
【０１３１】
標準サイズはさみ変形例ハンドル４００ｃの末端脚部４３５の末端端部４３５ａ上のリング４３９は対向する親指２０１、人差指２０２、および中指２０３で標準サイズはさみ変形例ハンドル４００ｃ用の標準はさみのブレード４５１を開くのを可能にする。親指２０１の末端パッド２０１ｂ、人差指２０２の末端パッド２０２ｂ、および中指２０３の末端パッド２０３ｂは標準サイズはさみ変形例ハンドル４００ｃ用の標準はさみのブレードを閉じるため対向している。
【０１３２】
普通のはさみにおいて、手１００の指ははさみのブレードのリング状拡張部と会合する。親指２０１は人差指２０２および中指２０３と対向し、はさみを開閉するためリングハンドルに入る。典型的には、このような普通のはさみにおいて、手の支持は一般的に弱い。はさみを閉じると親指２０１を対向する人差指２０２の近くで不快な状態に置かれ、手１００は一般的にハンドルに一体化されない。
【０１３３】
本発明の鉗子／ピンセットハンドル４００の標準サイズはさみハンドル変形例４００ｃは一般のはさみ以上の利点を有する。これらの利点は手１００の橈骨側１１１の水平皺１０８、手１００の尺骨側１１１上の領域Ｍ、薬指２０４の掌表面２１０、および小指２０５の掌表面２２０で、手１００と接触することに関係する。さらに、薬指２０４と小指２０５はハンドル４００ｃを手中に引っ張る。これらの特徴は本発明の鉗子／ピンセットハンドル４００に適合されたはさみ変形例ハンドル４００ｃを支持し、手１００を本発明の鉗子／ピンセットハンドル４００に適合されたはさみ変形例ハンドル４００ｃに組み込むために追加されている。本発明の鉗子／ピンセットハンドル４００に適合された標準サイズはさみ変形例ハンドル４００ｃと接触するこれらの領域は、はさみを開閉し且つ保持するため、親指２０１、人差指２０２、および中指２０３のみと一体化するのでなく、手１００全体と一体となる。
【０１３４】
図１８Ａ、図１８Ｂ、および図１８Ｃはより広い末端端部４３６を有する本発明の図１２Ａおよび図１２Ｂのハンドル４００ａの実施例の図を示し、作用端部４５０はファイルキャビネットからファイルのような物品を取り出しまたは表面に物品を解き放すためのより広い末端端部４３６に位置決めされている。
【０１３５】
図１９Ａ、図１９Ｂ、図１９Ｃおよび図１９Ｄはハンドルと一体化された装置を有する本発明の単一ハンドル４００ｄの種々の実施例を示す。図１９Ａ−図１９Ｄは、１対の対向するブレード４１０としてよりも、単一ブレード４１０ａ付き単一“Ｙ”構成を有する本発明の単一ハンドル４００ｄの実施例を示す。単一橈骨アームおよび単一尺骨アームおよび単一末端脚部は前述のような本発明の鉗子／ピンセットハンドル４００として手１００の対応する部分と係合する。図１９Ｂはハンドル４００ｄに対して適切な接続手段４５２ａにより取り付けられた器具４５２を有する本発明の単一ハンドル４００ｄの実施例を示す。図１９Ｃは作用端部４５３の回転又は移動のためのモータ駆動手段４５３ａ又はドリルビット又はねじ回し取り付けのような器具４５３を組み込んでいる本発明の単一ハンドル４００ｄの実施例を示す。図１９Ｄは動力化されたピンセットのような器具の作用端部４５４又は複数の作用端部４５４を開閉するためのモータ駆動手段４５４ａを有する本発明の単一ハンドル４００ｄの実施例を示す。
【０１３６】
要約すると、本発明による設計のハンドルは手により一般に保持される多くの型の装置内におよびに隣接してモールド形成、または形成される。さらに、本発明の設計方法に基くハンドルは持ち上げ、回転、移動又は運搬可能な物体に取り付け又は一体化される。本発明のこのようなハンドルは物体又は作用端部内にまたはと共に有利に取付け又は一体化可能である。さらに、本発明のこのようなハンドルは取り付け位置で種々の軸で旋回および／又は回転するように設計可能である。例えば、ハンドルは回転のための拡張部材によるシャフトに取り付け可能である。
【０１３７】
本発明のハンドルにおいて、種々の材料が、例えば、本発明のハンドルの特定の用途に適する、種々の木材、金属、プラスチック、合成物、ゴム化合物、ラテックス、および有機又は無機材料がハンドルの製造のために使用できる。さらに、種々の材料が本発明のハンドルにフィット感を増すためおよび独自化するために追加される。
【０１３８】
本発明の原理、好ましい実施例、および動作モードが上記明細書で説明された。しかしながら、保護目的の本発明は開示された特定の実施例に限定されるものではない。ここで説明された実施例は例示であり、制限的なものでない。本発明の精神から逸脱することなく、変更および変形が他者により可能であり、均等物が採用される可能性がある。したがって、特許請求の範囲で規定される本発明の精神および範囲内に入るすべての変形、変更、および均等物を包含することが明白に意図されている。
【図面の簡単な説明】
【０１３９】
【図１】図１は手が同一ラインで終端する長い指および人差指と中指の間の空間に対向する親指を示す、手がＴ位置にある場合の手の掌側の図である。
【図２Ａ】図２Ａは鉗子ハンド位置（ＦＨＰ）の手の図である。図２Ａは同一平面で終端する親指、人差指、および中指を有する掌表面図を示す。薬指と小指の先端はＴ位置と同一ラインで終端する。
【図２Ｂ】図２Ｂは手の橈骨側の視野から見た鉗子ハンド位置（ＦＨＰ）の手の図である。
【図３Ａ】図３Ａは一般的にＹ形状構成の本発明のハンドルの実施例を示す概略図である。
【図３Ｂ】図３Ｂは一般的にＹ形状構成の本発明のハンドルの実施例を示す概略図である。
【図４Ａ】図４Ａは本発明の鉗子／ピンセットハンドルを示す３次元図である。
【図４Ｂ】図４Ｂは本発明の鉗子／ピンセットハンドルを示す側面図である。
【図４Ｃ】図４Ｃは本発明の鉗子／ピンセットハンドルを示す上部又は橈骨図である。
【図５Ａ】図５Ａは本発明の鉗子／ピンセットハンドルを保持する手で鉗子ハンド位置（ＦＨＰ）の手の掌の図である。
【図５Ｂ】図５Ｂは本発明の鉗子／ピンセットハンドルを保持する手で鉗子ハンド位置（ＦＨＰ）の手の橈骨図である。
【図６Ａ】図６Ａは本発明の鉗子／ピンセットハンドルの次元を決定するための測定ラインを示す。図６Ａは測定すべきラインを有する手の掌の図である。
【図６Ｂ】図６Ｂは本発明の鉗子／ピンセットハンドルの次元を決定するための測定ラインを示す。図６Ｂは測定すべきラインを有する手の橈骨図である。
【図７】図７は本発明のハンドルの角度およびサイズを決定するため手の測定に使用される分度器測定装置を示す図である。
【図８Ａ】図８Ａは本発明のハンドルのためのサイズを作成するための測定値に関するラインの測定値と位置を決定するため手を測定するため図７の分度器測定装置に対して代替として使用される矩形測定装置を示す図である。
【図８Ｂ】図８Ｂは本発明のハンドルのためのサイズを作成するための測定値に関するラインの測定値と位置を決定するため手を測定するため図７の分度器測定装置に対して代替として使用される矩形測定装置を示す図である。
【図８Ｃ】図８Ｃは本発明のハンドルを作成するために使用されるラインの配置、測定値、および位置を示す図である。
【図８Ｄ】図８Ｄは本発明のハンドルを作成するために使用されるラインの配置、測定値、および位置を示す図である。
【図９Ａ】図９Ａは本発明のハンドルの変形例を示す。図９Ａは尺骨アームの変形例を示す図である。
【図９Ｂ】図９Ｂは本発明のハンドルの変形例を示す。図９Ｂは尺骨アームの変形例を示す図である。
【図９Ｃ】図９Ｃは親指、人差指、および中指が本発明のハンドルを操作できる接触領域での変形例を示す図である。
【図９Ｄ】図９Ｄは親指、人差指、および中指が本発明のハンドルを操作できる接触領域での変形例を示す図である。
【図９Ｅ】図９Ｅは複数の手のサイズのための本発明のハンドルを調整するため本発明のハンドルに追加される拡張部を示す図である。
【図９Ｆ】図９Ｆは複数の手のサイズのための本発明のハンドルを調整するため本発明のハンドルに追加される拡張部を示す図である。
【図９Ｇ】図９Ｇは複数の手のサイズのための本発明のハンドルを調整するため本発明のハンドルに追加される拡張部を示す図である。
【図１０Ａ】図１０Ａはハンドルの末端端部の近くの本発明のハンドルに対する追加部を示す。図１０Ａはハンドルを開口位置に維持するため、バネのような、弾性手段を示す図である。
【図１０Ｂ】図１０Ｂはハンドルの末端端部の近くの本発明のハンドルに対する追加部を示す。図１０Ｂはハンドルを開口位置に維持するため、バネのような、弾性手段を示す図である。
【図１０Ｃ】図１０Ｃは完全に開いた位置から完全に閉じた位置にハンドルを維持するためクランプの異なる図を示す。
【図１０Ｄ】図１０Ｄは完全に開いた位置から完全に閉じた位置にハンドルを維持するためクランプの異なる図を示す。
【図１０Ｅ】図１０Ｅは完全に開いた位置から完全に閉じた位置にハンドルを維持するためクランプの異なる図を示す。
【図１０Ｆ】図１０Ｆはハンドル内の対応する指の端部を受けるためのリング部材を示す図である。
【図１０Ｇ】図１０Ｇはハンドル内の対応する指の端部を受けるためのリング部材を示す図である。
【図１１Ａ】図１１Ａは本発明の橈骨アームと尺骨アームの回転を可能にする接続領域に配置された回転機構の種々の図を示す。
【図１１Ｂ】図１１Ｂは本発明の橈骨アームと尺骨アームの回転を可能にする接続領域に配置された回転機構の種々の図を示す。
【図１１Ｃ】図１１Ｃは本発明の橈骨アームと尺骨アームの回転を可能にする接続領域に配置された回転機構の種々の図を示す。
【図１２Ａ】図１２Ａは広げられた末端端部を有する本発明のハンドルの実施例の図を示す。
【図１２Ｂ】図１２Ｂは広げられた末端端部を有する本発明のハンドルの実施例の図を示す。
【図１３Ａ】図１３Ａは種々の器具をハンドルに接続するための本発明のハンドルの末端端部での種々の接続手段を示す図である。
【図１３Ｂ】図１３Ｂは種々の器具をハンドルに接続するための本発明のハンドルの末端端部での種々の接続手段を示す図である。
【図１３Ｃ】図１３Ｃは種々の器具をハンドルに接続するための本発明のハンドルの末端端部での種々の接続手段を示す図である。
【図１３Ｄ】図１３Ｄは種々の器具をハンドルに接続するための本発明のハンドルの末端端部での種々の接続手段を示す図である。
【図１３Ｅ】図１３Ｅは種々の器具をハンドルに接続するための本発明のハンドルの末端端部での種々の接続手段を示す図である。
【図１３Ｆ】図１３Ｆは種々の器具をハンドルに接続するための本発明のハンドルの末端端部での種々の接続手段を示す図である。
【図１３Ｇ】図１３Ｇは種々の器具をハンドルに接続するための本発明のハンドルの末端端部での種々の接続手段を示す図である。
【図１３Ｈ】図１３Ｈは種々の器具をハンドルに接続するための本発明のハンドルの末端端部での種々の接続手段を示す図である。
【図１３Ｉ】図１３Ｉは種々の器具をハンドルに接続するための本発明のハンドルの末端端部での種々の接続手段を示す図である。
【図１３Ｊ】図１３Ｊは種々の器具をハンドルに接続するための本発明のハンドルの末端端部での種々の接続手段を示す図である。
【図１３Ｋ】図１３Ｋは種々の器具をハンドルに接続するための本発明のハンドルの末端端部での種々の接続手段を示す図である。
【図１４Ａ】図１４Ａはハンドルに関して左右水平方向から上下垂直方向へのような本発明のハンドルに対するつまみ方向を変化させるための機構の実施例を示す図である。
【図１４Ｂ】図１４Ｂはハンドルに関して左右水平方向から上下垂直方向へのような本発明のハンドルに対するつまみ方向を変化させるための機構の実施例を示す図である。
【図１４Ｃ】図１４Ｃはハンドルに関して左右水平方向から上下垂直方向へのような本発明のハンドルに対するつまみ方向を変化させるための機構の実施例を示す図である。
【図１４Ｄ】図１４Ｄはハンドルに関して左右水平方向から上下垂直方向へのような本発明のハンドルに対するつまみ方向を変化させるための機構の実施例を示す図である。
【図１４Ｅ】図１４Ｅはハンドルに関して左右水平方向から上下垂直方向へのような本発明のハンドルに対するつまみ方向を変化させるための機構の実施例を示す図である。
【図１５Ａ】図１５Ａはハンドルで使用するための器具の退行および伸張を提供するため本発明のハンドルと一体化された、外科用メスのガードのような、バネ負荷機構を示す図である。
【図１５Ｂ】図１５Ｂはハンドルで使用するための器具の退行および伸張を提供するため本発明のハンドルと一体化された、外科用メスのガードのような、バネ負荷機構を示す図である。
【図１５Ｃ】図１５Ｃはハンドルで使用するための器具の退行および伸張を提供するため本発明のハンドルと一体化された、外科用メスのガードのような、バネ負荷機構を示す図である。
【図１５Ｄ】図１５Ｄはハンドルで使用するための器具の退行および伸張を提供するため本発明のハンドルと一体化された、外科用メスのガードのような、バネ負荷機構を示す図である。
【図１６】図１６Ａおよび図１６Ｂはマイクロはさみである図１６Ａの作用端部と逆ピンセットである図１６Ｂの作用端部で本発明のハンドルに取り付けられた作用端部を示す図である。
【図１７】図１７は標準サイズのはさみに取り付けられた本発明のハンドルの実施例を示す図である。
【図１８Ａ】図１８Ａは、ファイルキャビネットからファイルのような品目を取り出すようなまたは表面で品目を緩めるような、より広い末端端部に位置決めされた作用端部を持つより広い末端端部を有する本発明のハンドルの実施例の図を示す。
【図１８Ｂ】図１８Ｂは、ファイルキャビネットからファイルのような品目を取り出すようなまたは表面で品目を緩めるような、より広い末端端部に位置決めされた作用端部を持つより広い末端端部を有する本発明のハンドルの実施例の図を示す。
【図１８Ｃ】図１８Ｃは、ファイルキャビネットからファイルのような品目を取り出すようなまたは表面で品目を緩めるような、より広い末端端部に位置決めされた作用端部を持つより広い末端端部を有する本発明のハンドルの実施例の図を示す。
【図１９Ａ】図１９Ａはハンドルと一体化された装置を有する本発明のハンドルの種々の実施例を示す。図１９Ａは単一の“Ｙ”構成を有する本発明の単一ハンドルを示す図である。
【図１９Ｂ】図１９Ｂは適切な接続手段により本発明のハンドルに取り付けられた器具を有する本発明の一般的な単一ハンドルの実施例を示す図である。
【図１９Ｃ】図１９Ｃは作用端部又は器具の回転又は運動のためのモータ駆動手段を組み込む本発明の一般的な単一ハンドルの実施例を示す図である。
【図１９Ｄ】図１９Ｄは作用端部又は器具の端部を開閉するモータ駆動手段を有する本発明の一般的な単一ハンドルの実施例を示す図である。
【符号の説明】
【０１４０】
１００    手
１０２    手掌
１０４    手掌アーチ
１０８    水平皺
１１０    橈骨側
１１１    尺骨側
１２０    手首
１１４    母指球筋肉領域
１１６    小指筋肉領域
１２２    手根横靭帯
１２６    豆状骨
２００    長い指
２０１    親指
２０２    人差指
２０３    中指
２０４    薬指
２０５    小指
２５０    ＭＩＰ関節
２５２    ＤＩＰ関節
４００    鉗子／ピンセットハンドル
４１０    ブレード
４１５    橈骨アーム
４１６、４２６    ヒンジ
４２５    尺骨アーム
４３５    末端脚部
４５０    作用端部
５０１    滑動部材
７０５    スロット
７１０    分度器
８００    矩形測定装置
１０００    格納式メス
１０１０    平坦バネ部材
１０２０    メス
【図１】
2006519029.tif 000003
【図２Ａ】
2006519029.tif 000004
【図２Ｂ】
2006519029.tif 000005
【図３Ａ】
2006519029.tif 000006
【図３Ｂ】
2006519029.tif 000007
【図４Ａ】
2006519029.tif 000008
【図４Ｂ】
2006519029.tif 000009
【図４Ｃ】
2006519029.tif 000010
【図５Ａ】
2006519029.tif 000011
【図５Ｂ】
2006519029.tif 000012
【図６Ａ】
2006519029.tif 000013
【図６Ｂ】
2006519029.tif 000014
【図７】
2006519029.tif 000015
【図８Ａ】
2006519029.tif 000016
【図８Ｂ】
2006519029.tif 000017
【図８Ｃ】
2006519029.tif 000018
【図８Ｄ】
2006519029.tif 000019
【図９Ａ】
2006519029.tif 000020
【図９Ｂ】
2006519029.tif 000021
【図９Ｃ】
2006519029.tif 000022
【図９Ｄ】
2006519029.tif 000023
【図９Ｅ】
2006519029.tif 000024
【図９Ｆ】
2006519029.tif 000025
【図９Ｇ】
2006519029.tif 000026
【図１０Ａ】
2006519029.tif 000027
【図１０Ｂ】
2006519029.tif 000028
【図１０Ｃ】
2006519029.tif 000029
【図１０Ｄ】
2006519029.tif 000030
【図１０Ｅ】
2006519029.tif 000031
【図１０Ｆ】
2006519029.tif 000032
【図１０Ｇ】
2006519029.tif 000033
【図１１Ａ】
2006519029.tif 000034
【図１１Ｂ】
2006519029.tif 000035
【図１１Ｃ】
2006519029.tif 000036
【図１２Ａ】
2006519029.tif 000037
【図１２Ｂ】
2006519029.tif 000038
【図１３Ａ】
2006519029.tif 000039
【図１３Ｂ】
2006519029.tif 000040
【図１３Ｃ】
2006519029.tif 000041
【図１３Ｄ】
2006519029.tif 000042
【図１３Ｅ】
2006519029.tif 000043
【図１３Ｆ】
2006519029.tif 000044
【図１３Ｇ】
2006519029.tif 000045
【図１３Ｈ】
2006519029.tif 000046
【図１３Ｉ】
2006519029.tif 000047
【図１３Ｊ】
2006519029.tif 000048
【図１３Ｋ】
2006519029.tif 000049
【図１４Ａ】
2006519029.tif 000050
【図１４Ｂ】
2006519029.tif 000051
【図１４Ｃ】
2006519029.tif 000052
【図１４Ｄ】
2006519029.tif 000053
【図１４Ｅ】
2006519029.tif 000054
【図１５Ａ】
2006519029.tif 000055
【図１５Ｂ】
2006519029.tif 000056
【図１５Ｃ】
2006519029.tif 000057
【図１５Ｄ】
2006519029.tif 000058
【図１６】
2006519029.tif 000059
【図１７】
2006519029.tif 000060
【図１８Ａ】
2006519029.tif 000061
【図１８Ｂ】
2006519029.tif 000062
【図１８Ｃ】
2006519029.tif 000063
【図１９Ａ】
2006519029.tif 000064
【図１９Ｂ】
2006519029.tif 000065
【図１９Ｃ】
2006519029.tif 000066
【図１９Ｄ】
2006519029.tif 000067
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
手で使用するための鉗子型装置において、
前記手の掌表面の橈骨側の一部と係合するための橈骨ヒンジ部で合致する１対の橈骨アームを含む橈骨部と；
手根管上に配置される前記手の表面に実質的な圧力をかけることなく橈骨部に隣接する中間部と；
前記中間部に隣接する尺骨部であり、前記手の掌表面の尺骨側の一部と係合するための尺骨ヒンジ部で合致する１対の尺骨アームを含む尺骨部と；
各々が橈骨部と中間部と尺骨部の少なくとも１つから伸びる１対の対向ブレードと；
を具備し、前記橈骨ヒンジ部と前記尺骨ヒンジ部は、前記手根管上に位置決めされた前記手の表面に実質的な圧力をかけることなく、手の中の前記鉗子型装置を位置決めするように前記手の前記掌表面の各部と係合することを特徴とする鉗子型装置。
【請求項２】
前記鉗子型装置は、装置が閉じた後選択的に開くようにばね状の性質を有する材料からできていることを特徴とする請求項１記載の鉗子型装置。
【請求項３】
前記１対の対向ブレードの少なくとも１つの端部にさらに作用端を具備することを特徴とする請求項１記載の鉗子型装置。
【請求項４】
器具が対応する対向ブレードの前記作用端に選択的に取り付け又は取り外しできることを特徴とする請求項３記載の鉗子型装置。
【請求項５】
各器具が、適切な接続手段によって対応する対向ブレードの前記作用端に選択的に取り付け又は取り外しできることを特徴とする請求項４記載の鉗子型装置。
【請求項６】
前記器具は、つかむため、はさむため又は切るためのものであることを特徴とする請求項５記載の鉗子型装置。
【請求項７】
前記装置は、対応する橈骨アームと尺骨アームとブレードが合致する接続領域をさらに具備することを特徴とする請求項１記載の鉗子型装置。
【請求項８】
前記装置は、前記１対の橈骨アームと前記１対の尺骨アームの少なくとも１つの回転運動のための回転機構をさらに具備することを特徴とする請求項１記載の鉗子型装置。
【請求項９】
前記鉗子型装置は、前記手が装置を保持しているときに装置を支持するため、前記手の掌表面の橈骨側と係合するための橈骨ヒンジ部と前記手の掌表面の尺骨側と係合するための尺骨ヒンジ部の少なくとも１つの上の支持領域を含む少なくとも１つの支持領域を含むことを特徴とする請求項１記載の鉗子型装置。
【請求項１０】
前記１対の尺骨アームは、前記手の薬指と小指の少なくとも１つを受け入れるための少なくとも１つの接触領域を含むことを特徴とする請求項１記載の鉗子型装置。
【請求項１１】
前記装置は、前記１対の対向ブレード間に位置するばね機構をさらに具備し、前記ばね機構は鉗子型装置を休息位置に保持することを特徴とする請求項１記載の鉗子型装置。
【請求項１２】
前記装置は、前記１対の対向ブレードを係合する固定機構をさらに具備し、前記固定機構は鉗子型装置のための開位置と一部閉位置と閉位置を含む位置の範囲を選択的に保持することを特徴とする請求項１記載の鉗子型装置。
【請求項１３】
前記鉗子型装置は、対向ブレードの動きを作用端の動きに変更する手段を含むことを特徴とする請求項１記載の鉗子型装置。
【請求項１４】
手で使用するための鉗子型装置において、
前記手の掌表面の橈骨側の一部と係合するための橈骨端部を含む１対の橈骨アームと；
前記手の掌表面の尺骨側の一部と係合するための尺骨端部を含む１対の尺骨アームと；
前記１対の橈骨アームと前記１対の尺骨アームの一方から伸びる末端足部であり、前記１対の橈骨アームの橈骨端部が前記手の掌表面の橈骨側の一部と係合し、前記１対の尺骨アームの尺骨端部が前記手の掌表面の尺骨側の一部と係合するとき、前記手の親指及び前記手の人差指と前記手の中指の少なくとも１つをそれぞれ受け入れるための末端足部と；
を具備し、前記１対の橈骨アームの橈骨端部と前記１対の尺骨アームの尺骨端部が前記手の掌表面の橈骨側と尺骨側の対応する部分と係合し、手根管上に位置決めされた前記手の表面に実質的な圧力をかけることなく、手の中の前記鉗子型装置を位置決めすることを特徴とする鉗子型装置。
【請求項１５】
前記鉗子型装置は、装置が閉じた後選択的に開くようにばね状の性質を有する材料からできていることを特徴とする請求項１４記載の鉗子型装置。
【請求項１６】
前記１対の末端足部の少なくとも１つの末端部にさらに作用端を具備することを特徴とする請求項１４記載の鉗子型装置。
【請求項１７】
器具が対応する末端足部の前記作用端に選択的に取り付け又は取り外しできることを特徴とする請求項１６記載の鉗子型装置。
【請求項１８】
各器具が、適切な接続手段によって対応する末端足部の前記作用端に選択的に取り付け又は取り外しできることを特徴とする請求項１７記載の鉗子型装置。
【請求項１９】
前記器具は、つかむため、はさむため又は切るためのものであることを特徴とする請求項１７記載の鉗子型装置。
【請求項２０】
前記装置は、前記１対の橈骨アームと、前記１対の尺骨アームと、前記１対の末端足部が伸びる接続領域をさらに具備することを特徴とする請求項１４記載の鉗子型装置。
【請求項２１】
前記装置は、装置を休息位置に保持するために前記１対の末端足部間に位置するばね機構をさらに具備することを特徴とする請求項１４記載の鉗子型装置。
【請求項２２】
前記装置は、装置のための位置の範囲を選択的に保持するために前記１対の末端足部に係合する固定機構をさらに具備することを特徴とする請求項１４記載の鉗子型装置。
【国際調査報告】
2006519029.tif 000068